(57)【要約】  オレフィン類と芳香族類とを生産する方法であって、プラスチックを熱分解ユニット内で気相と液相を有する炭化水素生成物へ変換する工程と、気相を含む炭化水素気体ストリームと液相を含む炭化水素液体ストリームとに炭化水素生成物を分離する工程と、炭化水素気体ストリームを気体スチームクラッカに供給してオレフィン類を含む気体スチームクラッカ生成物を作る工程であって、気体スチームクラッカ生成物中のオレフィン類量は炭化水素気体ストリーム中よりも多い工程と、炭化水素液体ストリームを第一留分（沸点３００℃未満）と第二留分（沸点３００℃超）とに分離する工程と、第一留分を液体スチームクラッカに供給してオレフィン類と芳香族とを含む液体スチームクラッカ生成物を作り出す工程であって、液体スチームクラッカ生成物中のオレフィン類量は、第一留分中よりも多い工程、および、第二留分を熱分解ユニットに再循環する工程を含む。
2019534926.tif 000002
【特許請求の範囲】
【請求項１】
混合プラスチックからオレフィン類および芳香族炭化水素類を製造する方法であって、
（ａ）熱分解ユニット内で混合プラスチックを炭化水素生成物に変換する工程であって、前記炭化水素生成物は気相および液相を含む工程、
（ｂ）前記炭化水素生成物の少なくとも一部を炭化水素気体ストリームと炭化水素液体ストリームとに分離する工程であって、前記炭化水素気体ストリームは前記炭化水素生成物の気相の少なくとも一部を含み、かつ、前記炭化水素液体ストリームは前記炭化水素生成物の液相の少なくとも一部を含む工程、
（ｃ）前記炭化水素気体ストリームの少なくとも一部を気体スチームクラッカ生成物ストリームを生成するために気体スチームクラッカに供給する工程であって、前記気体スチームクラッカ生成物ストリームはオレフィン類を含み、かつ、前記気体スチームクラッカ生成物ストリーム中のオレフィン類の量は前記炭化水素気体ストリーム中のオレフィン類の量より多い工程、
（ｄ）前記炭化水素液体ストリームの少なくとも一部を当該炭化水素液体ストリームの第一留分と当該炭化水素液体ストリームの第二留分とに分離する工程であって、前記炭化水素液体ストリームの前記第一留分は約３００℃未満の沸点を特徴とし、かつ、前記炭化水素液体ストリームの前記第二留分は、約３００℃以上の沸点を特徴とする工程、
（ｅ）液体スチームクラッカ生成物ストリームを製造するために前記炭化水素液体ストリームの前記第一留分の少なくとも一部を液体スチームクラッカに供給する工程であって、前記液体スチームクラッカ生成物ストリームはオレフィン類と芳香族炭化水素類とを含み、かつ、前記液体スチームクラッカ生成物ストリーム中のオレフィン類の量は前記炭化水素液体ストリームの前記第一留分中のオレフィン類の量より多い工程、および、
（ｆ）前記炭化水素液体ストリームの前記第二留分の少なくとも一部を前記熱分解ユニットに再循環する工程、を含む方法。
【請求項２】
前記気体スチームクラッカ生成物ストリームの前記オレフィン類は、軽質ガスオレフィン類、エチレン、プロピレン、ブチレン、ブタジエン、またはそれらの組み合わせを含む請求項１に記載の方法。
【請求項３】
前記炭化水素気体ストリームは、塩酸（ＨＣｌ）、一酸化炭素（ＣＯ）、二酸化炭素（ＣＯ２）、水素（Ｈ２）をさらに含み、かつ、前記炭化水素気体ストリームの少なくとも一部を気体スチームクラッカに供給する前記工程（ｃ）は、さらに、（ｉ）前記炭化水素気体ストリームの少なくとも一部をスクラバに導入して処理済み炭化水素気体ストリームを作る工程であって、前記処理済み炭化水素気体ストリーム中のＨＣｌの量は前記炭化水素気体ストリーム中のＨＣｌの量より少なく、かつ、前記炭化水素気体ストリーム中のＨＣｌの少なくとも一部は前記スクラバ内で除去される工程、（ｉｉ）前記処理済み炭化水素気体ストリームの少なくとも一部を第一分離ユニットに導入して第一飽和炭化水素類気体ストリームと第一オレフィン気体ストリームとを生成する工程であって、前記第一飽和炭化水素類気体ストリームは前記処理済み炭化水素気体ストリームの飽和炭化水素類の少なくとも一部を含み、かつ、前記第一飽和炭化水素類気体ストリームは当該第一飽和炭化水素類気体ストリームの総重量に基づいて約１重量％未満のオレフィン含有量を特徴とする工程、および、（ｉｉｉ）前記第一飽和炭化水素類気体ストリームの少なくとも一部を前記気体スチームクラッカに供給する工程、を含む請求項１または２に記載の方法。
【請求項４】
前記炭化水素液体ストリームの第一留分の少なくとも一部を液体スチームクラッカに供給する工程（ｄ）は、さらに、（ｉ）前記炭化水素液体ストリームの前記第一留分の少なくとも一部と水素とを水素処理ユニットに搬送して処理済み炭化水素液体ストリームと処理済み水素処理ユニット気体生成物ストリームとを生成させる工程であって、前記処理済み炭化水素液体ストリームは前記炭化水素液体ストリームの前記第一留分の沸点よりも低い沸点を特徴とし、前記処理済み炭化水素液体ストリームは前記炭化水素液体ストリームの前記第一留分の塩化物量よりも低い塩化物量を特徴とし、かつ、前記処理済み炭化水素液体ストリームは前記炭化水素液体ストリームの前記第一留分のオレフィン含有量よりも低いオレフィン含有量を特徴とする工程、および、（ｉｉ）前記処理済み炭化水素液体ストリームの少なくとも一部を前記液体スチームクラッカに供給する工程、を含む請求項１〜３のいずれか１項に記載の方法。
【請求項５】
前記処理済み炭化水素液体ストリームは、約３００℃未満の沸点を特徴とする請求項４に記載の方法。
【請求項６】
前記処理済み炭化水素液体ストリームは、当該処理済み炭化水素液体ストリームの総重量に基づいて約１０ｐｐｍｗ未満の単数または複数の塩化物成分を含み、かつ、前記処理済み炭化水素液体ストリームは、当該処理済み炭化水素液体ストリームの総重量に基づいて約１重量％未満のオレフィン含有量を特徴とする請求項１〜５のいずれか１項に記載の方法。
【請求項７】
前記炭化水素液体ストリームの前記第一留分は芳香族化合物類を含み、かつ、前記芳香族化合物類の一部が前記水素処理ユニット内で開環反応を受けて、非芳香族化合物類を作り出す請求項１〜６のいずれか１項に記載の方法。
【請求項８】
前記炭化水素液体ストリームの前記第一留分の少なくとも一部と水素とを水素処理ユニットに搬送して処理済み炭化水素液体ストリームと水素処理ユニット気体生成物ストリームとを作り出す前記工程（ｉ）は、さらに、（１）前記水素処理ユニットから水素処理ユニット生成物ストリームを回収する工程であって、前記水素処理ユニット生成物ストリームは、気相と液相とを含む工程、および、（２）前記水素処理ユニット生成物ストリームを前記処理済み炭化水素液体ストリームと前記水素処理ユニット気体生成物ストリームとに分離する工程であって、前記処理済み炭化水素液体ストリームは前記水素処理ユニット生成物ストリームの前記液相の少なくとも一部を含み、前記水素処理ユニット気体生成物ストリームは前記水素処理ユニット生成物ストリームの前記気相の少なくとも一部を含む工程、をさらに有する請求項１〜７のいずれか１項に記載の方法。
【請求項９】
前記水素処理ユニット気体生成物ストリームの少なくとも一部は前記気体スチームクラッカに供給される請求項１〜８のいずれか１項に記載の方法。
【請求項１０】
前記気体スチームクラッカ生成物ストリームの少なくとも一部、前記液体スチームクラッカ生成物ストリームの少なくとも一部、前記第一オレフィン気体ストリームの少なくとも一部、またはこれらの組み合わせは、第二分離ユニットに導入されて、第二オレフィン気体ストリーム、第二飽和炭化水素類気体ストリーム、Ｃ６−Ｃ８芳香族類ストリーム、Ｃ９＋芳香族類ストリーム、および非芳香族重質ストリームを生成し、ここで、前記第二オレフィン気体ストリームは、エチレン、プロピレン、ブチレン、ブタジエン、またはそれらの組み合わせを含み、前記第二飽和炭化水素類気体ストリームは、メタン、エタン、プロパン、ブタン類、水素、またはそれらの組み合わせを含み、前記Ｃ６−Ｃ８芳香族類ストリームはＣ６−Ｃ８芳香族炭化水素類、ベンゼン、トルエン、キシレン類、エチルベンゼン、またはそれらの組み合わせを含み、前記Ｃ９＋芳香族類ストリームは、Ｃ９＋芳香族炭化水素類を含み、かつ、前記非芳香族重質ストリームは、Ｃ６＋芳香族炭化水素類以外のＣ５＋炭化水素を含む請求項３に記載の方法。
【請求項１１】
第二オレフィン気体ストリームの収率は約６０％以上であり、そして、Ｃ６−Ｃ８芳香族類ストリームの収率は約１５％以上である請求項１０に記載の方法。
【請求項１２】
前記第二飽和炭化水素類気体ストリームの少なくとも一部は、前記気体スチームクラッカに再循環される請求項１〜１１のいずれか１項に記載の方法。
【請求項１３】
前記非芳香族重質ストリームは約３００℃未満の沸点を特徴とし、かつ、前記非芳香族重質ストリームの少なくとも一部は、前記液体スチームクラッカ、および／または、当該液体スチームクラッカの上流の水素処理ユニットに再循環される請求項１〜１２のいずれか１項に記載の方法。
【請求項１４】
前記非芳香族重質ストリームは、約３００℃未満の沸点を特徴とし、そして、前記非芳香族重質ストリームの少なくとも一部および前記Ｃ９＋芳香族類ストリームの少なくとも一部は、前記液体スチームクラッカの上流の水素処理装置に再循環される請求項１〜１３のいずれか１項に記載の方法。
【請求項１５】
（ｉ）前記水素処理ユニットから処理済み炭化水素液体ストリームを回収する工程、（ｉｉ）前記処理済み炭化水素液体ストリームの少なくとも一部を、当該処理済み炭化水素液体ストリームの第一留分と当該処理済み炭化水素液体ストリームの第二留分とに分離する工程であって、前記処理済み炭化水素液体ストリームの前記第一留分は約３００℃未満の沸点を特徴とし、かつ、前記処理済み炭化水素液体ストリームの前記第二留分は約３００℃以上の沸点を特徴とする工程、（ｉｉｉ）前記処理済み炭化水素液体ストリームの前記第一留分の少なくとも一部を前記液体スチームクラッカに供給して前記液体スチームクラッカ生成物ストリームを作る工程、および、（ｉｖ）前記処理済み炭化水素液体ストリームの前記第二留分の少なくとも一部を前記熱分解ユニットに再循環する工程、をさらに有する請求項１４に記載の方法。
【請求項１６】
前記混合プラスチックは、当該混合プラスチックの総重量に基づいて約４００ｐｐｍｗ以上のポリ塩化ビニルおよび／またはポリ塩化ビニリデンを含み、かつ、前記混合プラスチックは、未使用混合プラスチックまたは廃混合プラスチックである請求項１〜１５のいずれか１項に記載の方法。
【請求項１７】
混合プラスチックからオレフィン類および芳香族炭化水素類を製造する方法であって、
（ａ）熱分解ユニット内で混合プラスチックを炭化水素生成物に変換する工程であって、前記炭化水素生成物は気相および液相を含む工程、
（ｂ）前記炭化水素生成物を炭化水素気体ストリームと炭化水素液体ストリームとに分離する工程であって、前記炭化水素気体ストリームは前記炭化水素生成物の前記気相の少なくとも一部を含み、前記炭化水素液体ストリームは前記炭化水素生成物の前記液相の少なくとも一部を含む工程、
（ｃ）前記炭化水素気体ストリームの少なくとも一部を、気体スチームクラッカ生成物ストリームを生成するために気体スチームクラッカに供給する工程であって、前記気体スチームクラッカ生成物ストリームはオレフィン類を含み、かつ、前記気体スチームクラッカ生成物ストリーム中のオレフィン類の量は前記炭化水素気体ストリーム中のオレフィン類の量より多い工程、
（ｄ）前記炭化水素液体ストリームの少なくとも一部を当該炭化水素液体ストリームの第一留分と当該炭化水素液体ストリームの第二留分とに分離する工程であって、前記炭化水素液体ストリームの前記第一留分は約３００℃未満の沸点を特徴とし、かつ、前記炭化水素液体ストリームの前記第二留分は約３００℃以上の沸点を特徴とする工程、
（ｅ）前記炭化水素液体ストリームの前記第一留分の少なくとも一部と水素とを水素処理ユニットに搬送して処理済み炭化水素液体ストリームと水素処理ユニット気体生成物ストリームとを生成させる工程であって、前記処理済み炭化水素液体ストリームは約３００℃未満の沸点を特徴とし、前記処理済み炭化水素液体ストリームは当該処理済み炭化水素液体ストリームの総重量に基づいて約１０ｐｐｍｗ未満の塩素物量を特徴とし、かつ、前記処理済み炭化水素液体ストリームは当該処理済み炭化水素液体ストリームの総重量に基づいて約１重量％未満のオレフィン類のオレフィン含有量を特徴とする工程、
（ｆ）前記処理済み炭化水素液体ストリームの少なくとも一部を、液体スチームクラッカ生成物ストリームを作るべく液体スチームクラッカに供給する工程であって、前記液体スチームクラッカ生成物ストリームはオレフィン類と芳香族炭化水素類とを含み、かつ、前記液体スチームクラッカ生成物ストリーム中のオレフィン類の量は前記炭化水素液体ストリーム中のオレフィン類の量より多い工程、および、
（ｇ）前記炭化水素液体ストリームの前記第二留分の少なくとも一部を前記熱分解ユニットに再循環する工程、を含む方法。
【請求項１８】
前記水素処理ユニット気体生成物ストリームの少なくとも一部は、前記気体スチームクラッカに供給される請求項１７に記載の方法。
【請求項１９】
混合プラスチックからオレフィン類および芳香族炭化水素類を製造する方法であって、
（ａ）熱分解ユニット内で混合プラスチックを炭化水素生成物に変換する工程であって、前記炭化水素生成物は気相および液相を含む工程、
（ｂ）前記炭化水素生成物を炭化水素気体ストリームと炭化水素液体ストリームとに分離する工程であって、前記炭化水素気体ストリームは前記炭化水素生成物の前記気相の少なくとも一部を含み、前記炭化水素気体ストリームはオレフィン類と飽和炭化水素類とを含み、かつ、前記炭化水素液体ストリームは前記炭化水素生成物の前記液相の少なくとも一部を含む工程、
（ｃ）前記炭化水素気体ストリームの少なくとも一部を、第一分離ユニットに導入し、第一飽和炭化水素類気体ストリームと第一オレフィン気体ストリームとを作る工程であって、前記第一オレフィン気体ストリームは、前記炭化水素気体ストリームの前記オレフィン類の少なくとも一部を含み、前記第一飽和炭化水素類気体ストリームは、前記炭化水素気体ストリームの前記飽和炭化水素類の前記オレフィン類の少なくも一部を含み、かつ、前記第一飽和炭化水素類気体ストリームは、当該第一飽和炭化水素類気体ストリームの総重量に基づいて約１重量％未満のオレフィン含有量を特徴とする工程、
（ｄ）前記第一飽和炭化水素類気体ストリームの少なくとも一部を気体スチームクラッカに供給して気体スチームクラッカ生成物ストリームを作る工程であって、当該気体スチームクラッカ生成物ストリーム中のオレフィン類の量は、前記第一飽和炭化水素類気体ストリーム中のオレフィン類の量よりも多い工程、
（ｅ）前記炭化水素液体ストリームの一部と水素とを水素処理ユニットに供給して処理済み炭化水素液体ストリームと水素処理ユニット生成物ストリームとを作る工程であって、前記処理済み炭化水素液体ストリームは当該処理済み炭化水素液体ストリームの総重量に基づいて約１０ｐｐｍｗ未満の塩素物量を特徴とし、かつ、前記処理済み炭化水素液体ストリームは当該処理済み炭化水素液体ストリームの総重量に基づいて約１重量％未満のオレフィン含有量を特徴とする工程、
（ｆ）前記処理済み炭化水素液体ストリームの少なくとも一部を、当該処理済み炭化水素液体ストリームの第一留分と当該処理済み炭化水素液体ストリームの第二留分とに分離する工程であって、前記処理済み炭化水素液体ストリームの前記第一留分は、約４３０℃未満の沸点を特徴とし、かつ、前記処理済み炭化水素液体ストリームの前記第二留分は、約４３０℃以上の沸点を特徴とする工程、
（ｇ）前記処理済み炭化水素液体ストリームの前記第一留分の少なくとも一部を液体スチームクラッカに供給して、液体スチームクラッカ生成物ストリームを作る工程であって、前記液体スチームクラッカ生成物ストリーム中のオレフィン類の量は、前記処理済み炭化水素液体ストリームの前記第一留分中のオレフィン類の量よりも多い工程、
（ｈ）前記水素処理ユニット生成物ストリームの少なくとも一部を前記第一分離ユニット、および／または、前記気体スチームクラッカ、に供給する工程、
（ｉ）前記気体スチームクラッカ生成物ストリームの少なくとも一部、前記液体スチームクラッカ生成物ストリームの少なくとも一部、前記第一オレフィン気体ストリームの少なくとも一部、またはこれらの組み合わせを、第二分離ユニットに導入して、第二オレフィン気体ストリーム、第二飽和炭化水素類気体ストリーム、Ｃ６−Ｃ８芳香族類ストリーム、Ｃ９＋芳香族類ストリーム、および非芳香族重質ストリームを作る工程であって、前記第二オレフィン気体ストリームは、エチレン、プロピレン、ブチレン、ブタジエン、またはそれらの組み合わせを含み、前記第二飽和炭化水素類気体ストリームは、メタン、エタン、プロパン、ブタン類、水素、またはそれらの組み合わせを含み、前記Ｃ６−Ｃ８芳香族類ストリームは、Ｃ６−Ｃ８芳香族炭化水素類、ベンゼン、トルエン、キシレン類、エチルベンゼン、またはそれらの組み合わせを含み、前記Ｃ９＋芳香族類ストリームはＣ９＋芳香族炭化水素類を含み、かつ、前記非芳香族重質ストリームは、Ｃ６＋芳香族炭化水素類以外のＣ５＋炭化水素を含む工程、
（ｊ）前記第二飽和炭化水素類気体ストリームの少なくとも一部を前記気体スチームクラッカに再循環させる工程、
（ｋ）前記非芳香族重質ストリームの少なくとも一部および前記Ｃ９＋芳香族化合物類ストリームの少なくとも一部を、前記水素処理ユニットに再循環する工程、および、
（ｌ）前記処理済み炭化水素液体ストリームの前記第二留分の少なくとも一部を熱分解ユニットに再循環する工程、を含む方法。
【請求項２０】
第二オレフィン気体ストリームの収率は約６０％以上であり、そして、Ｃ６−Ｃ８芳香族類ストリーム収率は約１５％以上である請求項１９に記載の方法。
【発明の詳細な説明】
【技術分野】
【０００１】
本開示は、熱分解と、気体スチームクラッキングと液体スチームクラッキングとを含むプロセスによる、混合プラスチックからのオレフィン類や芳香族炭化水素類などの高価値化学物質の生産に関する。
【背景技術】
【０００２】
廃プラスチックは、熱分解によって高価値化学物質（たとえば、オレフィン類、芳香族炭化水素類など）に変換することができる。しかしながら、プラスチック熱分解は広い沸点範囲を有する生成物ストリームを生じさせることがある。たとえば、従来の（一般的な熱分解プロセス条件下での）熱分解生成物ストリームの中には液相にあるものもあれば、気相にあるものもある。液相熱分解生成物ストリームは一般に、高価値化学物質の収率を高めるためにさらに分解され、一方、気相の高価値化学物質は、高価値化学物質の回収のために分離ユニットに運ばれる。そのような従来の方法は、多種多様な副生成物（たとえば、飽和炭化水素類、重芳香族炭化水素類など）とともに高価値化学物質を製造する。従って、副産物を最小にしながら廃プラスチックから誘導される高価値化学物質を製造するための方法を開発することが現在も求められている。
【先行技術文献】
【特許文献】
【０００３】
【特許文献１】米国仮出願第６２／０２５，７６２号
【特許文献２】国際出願第ＰＣＴ／ＩＢ２０１５／０５５２９５号
【発明の概要】
【課題を解決するための手段】
【０００４】
ここに開示されるのは、混合プラスチックからオレフィン類および芳香族炭化水素類を製造する方法であって、（ａ）熱分解ユニット内で混合プラスチックを炭化水素生成物に変換する工程、ここで、炭化水素生成物は気相と液相とを含む、（ｂ）炭化水素生成物の少なくとも一部を炭化水素気体ストリームと炭化水素液体ストリームとに分離する工程、ここで、炭化水素気体ストリームは、炭化水素生成物の気相の少なくとも一部を含み、かつ、炭化水素液体ストリームは、炭化水素生成物の液相の少なくとも一部を含む、（ｃ）炭化水素気体ストリームの少なくとも一部を気体スチームクラッカに供給して気体スチームクラッカ生成物ストリームを作り出す、ここで、気体スチームクラッカ生成物ストリームはオレフィン類を含み、ここで、気体スチームクラッカ生成物ストリーム中のオレフィン類は炭化水素気体ストリーム中のオレフィン類の量よりも多い、（ｄ）炭化水素液体ストリームの一部を炭化水素液体ストリームの第一留分と炭化水素液体ストリームの第二留分とに分離する、ここで、炭化水素液体ストリームの第一留分は約３００℃未満の沸点によって特徴付けられ、かつ、炭化水素液体ストリームの第二留分は約３００℃以上の沸点によって特徴付けられる、（ｅ）炭化水素液体ストリームの第一留分の少なくとも一部を液体スチームクラッカに供給して液体スチームクラッカ生成物ストリームを作る、ここで、液体スチームクラッカ生成物ストリームはオレフィン類および芳香族炭化水素類を含み、かつ、液体スチームクラッカ生成物ストリーム中のオレフィン類の量は炭化水素液体ストリームの第一留分中のオレフィン類の量よりも多い、および、（ｆ）炭化水素液体ストリームの第二留分の少なくとも一部分を熱分解ユニットに再循環する工程、を有する。
【０００５】
さらにここに開示されるのは、混合プラスチックからオレフィン類および芳香族炭化水素類を製造する方法であって、（ａ）熱分解ユニット内で混合プラスチックを炭化水素生成物に変換する工程、ここで、炭化水素生成物は気相と液相とを含む、（ｂ）炭化水素生成物を炭化水素気体ストリームと炭化水素液体ストリームとに分離する工程、ここで、炭化水素気体ストリームは炭化水素生成物の気相の少なくとも一部を含み、かつ、炭化水素液体ストリームは炭化水素生成物の液相の少なくとも一部を含む、（ｃ）炭化水素気体ストリームの少なくとも一部を気体スチームクラッカに供給して気体スチームクラッカ生成物ストリームを作り出す、ここで、気体スチームクラッカ生成物ストリームはオレフィン類を含み、かつ、気体スチームクラッカ生成物ストリーム中のオレフィン類は炭化水素気体ストリーム中のオレフィン類の量よりも多い、（ｄ）炭化水素液体ストリームの少なくとも一部を炭化水素液体ストリームの第一留分と炭化水素液体ストリームの第二留分とに分離する、ここで、炭化水素液体ストリームの第一留分は約３００℃未満の沸点によって特徴付けられ、かつ、炭化水素液体ストリームの第二留分は約３００℃以上の沸点によって特徴付けられる、（ｅ）炭化水素液体ストリームの第一留分の少なくとも一部を水素処理ユニットに搬送して処理済み炭化水素液体ストリームと水素処理ユニット気体生成物ストリームを作り出す、ここで、処理済み炭化水素液体ストリームは約３００℃未満の沸点によって特徴付けられ、処理済み炭化水素液体ストリームは当該処理済み炭化水素液体ストリームの総重量に基づいて約１０ｐｐｍｗ未満の塩素の塩素量によって特徴付けられ、かつ、処理済み炭化水素液体ストリームは当該処理済み炭化水素液体ストリームの総重量に基づいて約１重量％未満のオレフィン類のオレフィン類含有率によって特徴付けられる、（ｆ）処理済み炭化水素液体ストリームの少なくとも一部を液体スチームクラッカに供給して液体スチームクラッカ生成物ストリームを作る、ここで、液体スチームクラッカ生成物ストリームはオレフィン類および芳香族炭化水素類を含み、かつ、液体スチームクラッカ生成物ストリーム中のオレフィン類の量は炭化水素液体ストリーム中のオレフィン類の量よりも多い、および、（ｇ）炭化水素液体ストリームの第二留分の少なくとも一部分を熱分解ユニットに再循環する工程、を有する。
【０００６】
さらにここに開示されるのは、混合プラスチックからオレフィン類および芳香族炭化水素類を製造する方法であって、（ａ）熱分解ユニット内で混合プラスチックを炭化水素生成物に変換する工程、ここで、炭化水素生成物は気相と液相とを含む、（ｂ）炭化水素生成物を炭化水素気体ストリームと炭化水素液体ストリームとに分離する工程、ここで、炭化水素気体ストリームは炭化水素生成物の気相の少なくとも一部を含み、炭化水素気体ストリームはオレフィン類と飽和炭化水素類とを含み、かつ、炭化水素液体ストリームは炭化水素生成物の液相の少なくとも一部を含む、（ｃ）炭化水素気体ストリームの少なくとも一部を第一分離ユニットに導入して第一飽和炭化水素類気体ストリームと第一オレフィン気体ストリームとを作る、ここで、第一オレフィン気体ストリームは、炭化水素ストリームのオレフィン類の少なくとも一部を含み、第一飽和炭化水素類気体ストリームは炭化水素ガスストリームの飽和炭化水素類の少なくと一部を含み、かつ、第一飽和炭化水素類気体ストリームは、当該第一飽和炭化水素類気体ストリームの総重量に基づいて約１重量％未満のオレフィン類のオレフィン類含有率によって特徴付けられる、（ｄ）第一飽和炭化水素類気体ストリームの少なくとも一部を気体スチームクラッカに供給して気体スチームクラッカ生成物ストリームを作り出す、ここで、気体スチームクラッカ生成物ストリーム中のオレフィン類の量は、第一飽和炭化水素類気体ストリーム中のオレフィン類の量よりも多い、（ｅ）炭化水素液体ストリームの少なくとも一部と水素を水素処理ユニットに搬送して処理済み炭化水素液体ストリームと水素処理ユニット気体生成物ストリームを作り出す、ここで、処理済み炭化水素液体ストリームは当該処理済み炭化水素液体ストリームの総重量に基づいて約１０ｐｐｍｗ未満の塩素の塩素量によって特徴付けられ、そして、ここで処理済み炭化水素液体ストリームは当該処理済み炭化水素液体ストリームの総重量に基づいて約１重量％未満のオレフィン類のオレフィン類含有率によって特徴付けられる、（ｆ）処理済み炭化水素液体ストリームの少なくとも一部を当該処理済み炭化水素液体ストリームの第一留分と当該処理済み炭化水素液体ストリームの第二留分とに分離する、ここで、処理済み炭化水素液体ストリームの第一留分は約４３０℃未満の沸点によって特徴付けられ、ここで、処理済み炭化水素液体ストリームの第二留分は約４３０℃以上の沸点によって特徴付けられる、（ｇ）処理済み炭化水素液体ストリームの第一留分の少なくとも一部を液体スチームクラッカに供給して液体スチームクラッカ生成物ストリームを作り出す、ここで、液体スチームクラッカ生成物ストリーム中のオレフィン類の量は、処理済み炭化水素気体ストリーム中のオレフィン類の量よりも多い、（ｈ）水素処理ユニット気体生成物ストリームの少なくとも一部を第一分離ユニットおよび／または気体スチームクラッカに供給する、（ｉ）気体スチームクラッカ生成物ストリームの少なくとも一部、液体スチームクラッカ生成物ストリームの少なくとも一部、第一オレフィン気体ストリームの少なくとも一部、またはこれらの組み合わせを、第二分離ユニットに導入して、第二オレフィン気体ストリーム、第二飽和炭化水素類気体ストリーム、Ｃ６−Ｃ８芳香族類ストリーム、Ｃ９＋芳香族類ストリーム、非芳香族重質ストリームを作り出す、ここで、第二オレフィン気体ストリームは、メタン、エタン、プロパン、ブタン類、水素、またはそれらの組み合わせを含み、ここで、Ｃ６−Ｃ８芳香族類ストリームは、Ｃ６−Ｃ８芳香族炭化水素類、ベンゼン、トルエン、キシレン類、エチルベンゼン、またはそれらの組み合わせを含み、Ｃ９＋芳香族類ストリームはＣ９＋芳香族炭化水素類を含み、かつ、非芳香族重質ストリームはＣ６＋芳香族炭化水素類以外のＣ５＋炭化水素を含む、（ｊ）第二飽和炭化水素類気体ストリームの少なくとも一部を気体スチームクラッカに再循環する、（ｋ）非芳香族重質ストリームの少なくとも一部とＣ９＋芳香族類ストリームの少なくとも一部を水素処理ユニットに再循環する、そして（ｌ）処理済み炭化水素液体ストリームの第二留分の少なくとも一部を熱分解ユニットに再循環する、工程を有する。
【図面の簡単な説明】
【０００７】
【図１】オレフィン類および芳香族炭化水素類製造システムの概略図
【図２】オレフィン類および芳香族炭化水素類製造システムの別の概略図
【図３】オレフィン類および芳香族炭化水素類製造システムのさらに別の概略図
【図４】オレフィン類および芳香族炭化水素類製造システムのさらに別の概略図
【発明を実施するための形態】
【０００８】
ここに開示されているのは、混合プラスチックからオレフィン類および芳香族炭化水素類を製造するための方法およびシステムであって、これは、プラスチック熱分解生成物の液体部分（たとえば炭化水素液体ストリーム）を、液体フィードストックを分解可能な分解炉（たとえば、液体スチームクラッカ）に搬送すること、そして、プラスチック熱分解生成物のガス状部分（たとえば炭化水素気体ストリーム）を、ガス状フィードストックを分解可能な分解炉（たとえば気体スチームクラッカ）に搬送すること、を含む。本発明に係る方法は、炭化水素液体ストリームから処理済み炭化水素液体ストリームを製造すること、ここで、処理済み炭化水素液体ストリームは炭化水素液体ストリームの沸点と比較して低い沸点を有しうるものであり、そして、処理済み炭化水素液体ストリームをスチームクラッカに供給すること、を含むことができる。本発明に係る方法は、さらに、分解炉生成物からオレフィン類および芳香族炭化水素類などの高価値化学物質を回収することを含みうる。
【０００９】
実施例以外では、または、特に銘記される場合を除き、本明細書および請求項で使用される成分の量、反応条件などに関するすべての数または表現は、すべての場合において用語「約」によって修飾されるものと理解されなければならない。様々な数値範囲がここに開示される。これらの範囲は連続的なものであるので、それらは最小値と最大値の間のすべての値を含む。同じ特徴または構成要素を記載しているすべての範囲の終点は、記載の終点と独立して組み合わせ可能かつ、それを含む。特に明示的に記載されない限り、本出願中において特定される様々な数値範囲は近似値である。同じ成分または特性に関するすべての範囲の終点は、その終点を含む、かつ、それと独立して組み合わせることが可能である。「０を超えてからある量まで」という用語は、指定された成分が０を超えて、より高い記載の量まででそれを含んで存在することを意味する。
【００１０】
用語「ａ」、「ａｎ」、および「ｔｈｅ」は、数量の制限を意味するのではなく、むしろ言及されている項目のうちの少なくとも１つの存在を意味する。ここでの使用において、単数形「ａ」、「ａｎ」、および「ｔｈｅ」は複数の言及対象を含む。
【００１１】
ここでの使用において、「それらの組み合わせ」とは、オプションで記載されていない類似の要素とともに、列挙された要素のうちの１つまたは複数を含み、たとえば、オプションとして、実質的に同じ機能を有する具体的に命名されない単数または複数の要素とともに、命名された要素の単数または複数の組み合わせを含む。ここでの使用において、用語、「組み合わせ」は、ブレンド（blends）、混合物（mixtures）、複合物（alloys）、反応生成物などを含む。
【００１２】
本明細書を通した、「ある態様」、「別の態様」、「他の態様」、「いくつかの態様」などへの言及は、その態様に関連して記載された態様における特定の要素（たとえば、特徴、構造、物性（property）、および／または特性（characteristic））が、少なくともここに記載の対応に含まれること、そして、他の態様には存在していても、あるいは存在していなくてもよい、ということを意味する。さらに、記載される要素（単数または複数）は、様々な態様において任意の適切な方法で組み合わせることが可能であると理解される。
【００１３】
ここでの使用において、用語「阻害する」、「低減する」、「防止する」、「回避する」、またはこれらの用語の任意の変形は、所望の結果を達成するための任意の測定可能な減少または完全な阻害を含む。
【００１４】
ここでの使用において、用語「有効な」とは、所望の、期待される、または意図された結果を達成するために適切であることを意味する。
【００１５】
ここでの使用において、語「comprising」(および、「comprise」や「comprises」などのすべての語形)、「having」(および、「have」や「has」などの全ての語形)、「including」(および、「includes」や「include」などの全ての語形)または「containing」(および、「contains」や「contain」などの全ての語形)は、包合的でオープンエンド的であり、追加の記載されていない要素または方法工程を排除するものではない。
【００１６】
他に定義されない限り、本明細書で使用される技術用語および科学用語は、当業者によって一般的に理解されているのと同じ意味を有する。
【００１７】
化合物は、ここで標準の命名法を用いて記載されている。たとえば、任意の記載された基によって置換されていない任意の位置は、記載の結合または水素原子によってその原子価が満たされていると理解される。２文字または記号の間にないダッシュ（−）は、置換基の結合点を示すために使用される。たとえば、−ＣＨＯはカルボニル基の炭素を介して結合している。
【００１８】
図１を参照すると、オレフィン類および芳香族炭化水素類製造システム１０１が開示されている。当該オレフィン類および芳香族炭化水素類製造システム１０１は、一般に、熱分解ユニット１０、熱分解分離ユニット２０、炭化水素液体蒸留ユニット２５、気体スチームクラッカ３５、および液体スチームクラッカ４５を含む。
【００１９】
図２を参照すると、オレフィン類および芳香族炭化水素類製造システム１０２が開示されている。当該オレフィン類および芳香族炭化水素類製造システム１０２は、一般に、熱分解ユニット１０、熱分解分離ユニット２０、炭化水素液体蒸留ユニット２５、気体スチームクラッカ３５、水素処理ユニット４０、および液体スチームクラッカ４５を含む。
【００２０】
図３を参照すると、オレフィン類および芳香族炭化水素類製造システム１０３が開示されている。当該オレフィン類および芳香族炭化水素類製造システム１０３は、一般に、熱分解ユニット１０、熱分解分離ユニット２０、第一分離ユニット３０、気体スチームクラッカ３５、水素処理ユニット４０、処理済み炭化水素液体蒸留ユニット４３、液体スチームクラッカ４５、および第二分離ユニット５０を含む。
【００２１】
図４を参照すると、オレフィン類および芳香族炭化水素類製造システム１０４が開示されている。当該オレフィン類および芳香族炭化水素類製造システム１０４は、一般に、熱分解ユニット１０、熱分解分離ユニット２０、スクラバ２３、炭化水素液体蒸留ユニット２５、第一分離ユニット３０、気体スチームクラッカ３５、水素処理ユニット４０、処理済み炭化水素液体蒸留ユニット４３、液体スチームクラッカ４５、および第二分離ユニット５０を含む。当業者には理解されるように、そして本開示の助けを借りて、図１〜４に示されるオレフィン類および芳香族炭化水素類製造システムの構成要素は、任意の適切な導管（たとえば、パイプ、ストリームなど）を介して互いに流体連通することができる（流体の流れの方向を示す接続線によって表される）。共通の参照番号は、１つまたは複数の図に存在する共通の構成要素を指し、特定の構成要素の説明は、本明細書で別段の指示がない限り、その構成要素が存在する各図にわたって一般的に適用可能である。
【００２２】
混合プラスチック（たとえば、未使用プラスチック、廃プラスチックなど）からオレフィン類および芳香族炭化水素類を製造するための方法は、熱分解ユニット内で混合プラスチックを炭化水素生成物ストリームに変換する工程を含むことができる。この方法は、混合プラスチックを熱分解ユニットに導入して熱分解生成物（たとえば、炭化水素（ＨＣ）生成物）を製造することを含むことができ、ここで熱分解生成物は気相および液相を含む。
【００２３】
混合プラスチックは、熱分解ユニット１０に配置されるか、または混合プラスチックストリーム１１を介して熱分解ユニット１０に供給することができる。熱分解ユニット１０において、混合プラスチックストリーム１１は熱分解によって炭化水素生成物ストリーム１２に変換され、ここで炭化水素生成物ストリーム１２は、気相（たとえば、Ｃ１−Ｃ４ガス、一酸化炭素（ＣＯ）、二酸化炭素（ＣＯ２）、塩酸（ＨＣｌ）ガスなどの熱分解ガス）および液相（たとえば、熱分解液）を含む。
【００２４】
混合プラスチックストリーム１１を介して熱分解ユニット１０に装填または供給される混合プラスチックは、混合プラスチック廃棄物などの消費後廃プラスチックを含んでもよい。混合プラスチックは、塩素化プラスチック（たとえば、塩素化ポリエチレン）、ポリ塩化ビニル（ＰＶＣ）、ポリ塩化ビニリデン（ＰＶＤＣ）、非塩素化プラスチック（たとえば、ポリオレフィン類、ポリエチレン、ポリプロピレン、ポリエチレンテレフタレート（ＰＥＴ）、ポリブチレンテレフタレート、ポリスチレン、コポリマーなど）など、またはそれらの混合物を含みうる。いくつかの態様では、混合プラスチックは、ＰＶＣ、ＰＶＤＣ、ポリエチレンテレフタレート、ポリブチレンテレフタレート、ポリオレフィン類、ポリスチレン類など、またはそれらの組み合わせを含むことができる。一般に、廃プラスチックは長鎖分子またはポリマー炭化水素類を含む。ここに開示する廃プラスチックは、さらに、使用済みタイヤを含む。混合プラスチックは、未使用混合プラスチックおよび／または廃棄混合プラスチックを含むことができる。
【００２５】
混合プラスチックストリーム１１は、混合プラスチックの総重量に基づいて、塩化物を、約１０ｐｐｍｗ（parts per million weight）、５０ｐｐｍｗ、１００ｐｐｍｗ、２００ｐｐｍｗ、３００ｐｐｍｗ、４００ｐｐｍｗ、５００ｐｐｍｗ、６００ｐｐｍｗ、７００ｐｐｍｗ、８００ｐｐｍｗ、９００ｐｐｍｗ、６００ｐｐｍｗ、または１０００ｐｐｍｗ以上の量含むことができる。混合プラスチックストリーム１１は、混合プラスチックの総重量に基づき、ＰＶＣおよび／またはＰＶＤＣを、約４００ｐｐｍｗ以上、または約７００ｐｐｍｗ以上、あるいは約１，０００ｐｐｍｗ以上、含むことができる。
【００２６】
熱分解ユニット１０は、廃プラスチックを気相生成物と液相生成物に（たとえば同時に）変換するように構成された任意の適切な容器とすることができる。容器は、気相、液相、気液相、またはスラリー相操作用に構成することができる。容器は、砂、ゼオライト、アルミナ、接触分解触媒、またはそれらの組み合わせを含む不活性材料または熱分解触媒の単数または複数の床を含みうる。一般に、熱分解触媒は、熱分解ユニット１０内で熱分解プロセスを受ける構成要素に熱を伝達することができる。熱分解ユニット１０は、断熱的、等温的、非断熱的、非等温的、またはそれらの組み合わせ、で動作しうる。本開示の熱分解反応は、一段階または多段階で実施することができる。たとえば、熱分解ユニット１０は、直列に流体接続された２つの反応容器とすることができる。
【００２７】
熱分解ユニット１０が２つの容器を含む構成では、熱分解プロセスは、第一の容器内で行われる第一の段階と、第一段階の下流に流体接続される第二の容器内で行われる第二の段階とに分けられうる。当業者には理解されるように、そして本開示の助けを借りて、第二段階は、第一段階から第二段階へ流れる中間熱分解生成物ストリームの熱分解を促進して、第二段階から流れる炭化水素生成物ストリーム１２を作り出すことができる。いくつかの構成では、第一段階は廃プラスチックの熱分解を利用し、第二段階は廃プラスチックの接触分解を利用して当該第二段階から流れる炭化水素生成物ストリーム１２を作り出すことができる。あるいは、第一段階は廃プラスチックの接触分解を利用し、第二段階は廃プラスチックの熱分解を利用して当該第二段階から流れる炭化水素生成物ストリーム１２を生じさせることができる。
【００２８】
いくつかの構成では、熱分解ユニット１０は、混合プラスチックを気相および液相生成物に変換するように構成された単数または複数の機器を含みうる。単数または複数の機器は、上記のように不活性材料または熱分解触媒を含んでも含まなくてもよい。そのような装置の例には、単数または複数の、加熱押出機、加熱回転キルン、加熱タンク型反応器、充填床反応器、バブリング流動床反応器、循環流動床反応器、空の加熱容器、壁に沿ってプラスチックが流下して分解する密閉加熱面、オーブンまたは炉に囲まれた容器、または分解（クラッキング）を助長するために加熱面を提供するその他の適切な機器、を含む。
【００２９】
熱分解ユニット１０は、熱分解（クラッキング）するように構成することができ、そしていくつかの態様において（たとえば、水素が熱分解ユニット１０に添加される場合）、熱分解ユニット１０に供給される混合プラスチックストリーム１１の成分をさらに水素化する。熱分解ユニット１０において起こりうる反応の例としては、非限定的に、単数または複数の芳香族化合物類の単数または複数のシクロパラフィン類への変換、単数または複数のノルマルパラフィン類の単数または複数のｉ−パラフィン類への異性化、単数または複数のノルマルパラフィン類の単数または複数のｉ−パラフィン類への選択的開環、単数または複数のシクロパラフィン類から単数または複数のｉ−パラフィン類への、長鎖長分子から短鎖長分子へのクラッキング、ヘテロ原子含有炭化水素類からのヘテロ原子の除去（たとえば脱塩素）、またはそれらの組み合わせが含まれる。
【００３０】
単数または複数の熱分解ユニット１０において、プラスチックの分解の促進、価値ある製品の生成、スチームクラッキングのための原料の提供、またはそれらの組み合わせのために、ヘッドスペースパージガスが、熱分解段階（廃プラスチックの液相および／または気相生成物への変換）の全部または一部において利用される。ヘッドスペースパージガスは、水素（Ｈ２）、Ｃ１−Ｃ４炭化水素類ガス（たとえば、アルカン類、メタン、エタン、プロパン、ブタン、イソブタン）、不活性ガス類（たとえば、窒素（Ｎ２）、アルゴン、ヘリウム、水蒸気）など、またはそれらの組み合わせを含みうる。ヘッドスペースパージガスの使用は、熱分解ユニット１０内の脱塩素化を助ける。ヘッドスペースパージガスは、熱分解ユニット１０内に存在する溶融混合プラスチックに混入した揮発物の除去を助けるために当該熱分解ユニット１０に導入されうる。
【００３１】
たとえば、混合プラスチックストリーム１１から独立して熱分解ユニットに直接供給されるＨ２含有ストリームによって、水素（Ｈ２）含有ストリームを熱分解ユニット１０に添加して当該熱分解ユニット環境をＨ２で富化し、当該熱分解ユニット内に閉じ込められた塩化水素をストリッピングするのを助け、熱分解溶融物または液体、あるいはそれらの組み合わせ、中に水素に富む局所環境を提供することができる。いくつかの態様において、プラスチック供給物との水素取扱いのための適切な安全対策を組み込んだ上で、Ｈ２をストリーム１１とともに熱分解ユニット１０に導入することも可能である。
【００３２】
熱分解ユニット１０は、水素の存在下で、または水素によって、混合プラスチックストリーム１１の成分の任意の反応を促進することができる。不飽和分子（たとえば、オレフィン類、芳香族化合物類）の二重結合への水素原子の付加などの反応を起こすことができ、これによって、飽和分子（たとえば、パラフィン類、ｉ−パラフィン類、ナフテン類）を生成する。追加的または代替的に、熱分解ユニット１０内の反応は、有機化合物の結合の破裂、その後の反応および／またはヘテロ原子の水素との置換を引き起こすことができる。
【００３３】
熱分解ユニット１０での水素の使用は、ｉ）クラッキングの結果としてコークスを減少させる、ｉｉ）プロセスで使用される触媒（もしあるとすれば）を活性状態に保つ、ｉｉｉ）熱分解ユニット１０からの炭化水素生成物ストリーム１２が混合プラスチックストリーム１１に対して実質的に脱塩素化されるように、当該ストリーム１１から塩化物を除去し、それによって熱分解ユニット１０の下流側のユニットにおける塩化物除去要件を最小化するように、ストリームからの塩素除去を改善する、ｉｖ）オレフィン類の水素化、ｖ）炭化水素生成物ストリーム１２中のジオレフィン類の減少、ｖｉ）混合プラスチックストリーム１１の同じレベルの変換のための低温下での熱分解ユニット１０の運転を助ける、またはこれらｉ）−ｖｉ）の組み合わせの有用な効果を持ちうる。
【００３４】
熱分解ユニット１０における熱分解プロセスは、低過酷度（low severity）または高過酷度（high severity）でありうる。低過酷度熱分解プロセスは、２５０℃〜４５０℃、あるいは２７５℃〜４２５℃、あるいは３００℃〜４００℃の温度で行うことができ、モノオレフィン類およびジオレフィン類に富むとともに、かなりの量の芳香族化合物類を含む熱分解油を生成することができ、さらに、塩化物化合物類を含みうる。高過酷度熱分解プロセスは、４５０℃〜７５０℃、あるいは５００℃〜７００℃、あるいは５５０℃〜６５０℃の温度で行うことができ、芳香族化合物類に富み、塩化物化合物類を含みうる熱分解油を生成することができる。
【００３５】
炭化水素生成物ストリーム１２が、熱分解ユニット１０からの流出物として回収され、熱分解分離ユニット２０に運ぶ（たとえば流す）ことができる。
【００３６】
混合プラスチックからオレフィン類および芳香族炭化水素類を製造する方法は、熱分解分離ユニット２０内の炭化水素生成物ストリーム１２の少なくとも一部を炭化水素気体ストリーム２２と炭化水素液体ストリーム２１とに分離することを含むことができ、ここで、炭化水素気体ストリーム２２は炭化水素生成物ストリーム１２の気相の少なくとも一部を含み、炭化水素液体ストリーム２１は炭化水素生成物ストリーム１２の液相の少なくとも一部を含む。熱分解分離ユニット２０は、任意の適切な気液分離器、たとえば、蒸気−液体分離器、オイル−ガス分離器、ガス−液体分離器、脱気器、脱液器、スクラバ、トラップ、フラッシュドラム、圧縮吸引ドラム、重力分離器、遠心分離機、フィルタベーン分離器、ミスト除去装置など、またはこれらの組み合わせとすることができる。
【００３７】
いくつかの構成において、熱分解分離ユニット２０は、炭化水素ガスを気相（たとえば気体生成物）中に残しながら、炭化水素生成物ストリーム１２の一部を炭化水素液体（たとえば液体生成物）に凝縮する条件下で作動する凝縮器とすることができる。液体生成物は熱分解分離ユニット２０から炭化水素液体ストリーム２１中を流れ、気体生成物は熱分解分離ユニット２０から炭化水素気体ストリーム２２中を流れる。
【００３８】
炭化水素気体ストリーム２２は、Ｃ１−Ｃ４炭化水素類（たとえば、飽和炭化水素類、軽質ガスオレフィン類）、水素（Ｈ２）、不活性ガス（たとえば、窒素（Ｎ２）、アルゴン、ヘリウム、水蒸気）、一酸化炭素（ＣＯ）、二酸化炭素（ＣＯ２）、ＨＣＬなど、またはそれらの組み合わせを含みうる。炭化水素気体ストリーム２２は混合プラスチックストリーム１１の塩化物の少なくとも一部を含むことができる。いくつかの態様において、炭化水素気体ストリーム２２は、混合プラスチックストリーム１１中の塩化物の総重量に基づき、約９０重量％、９３重量％、９５重量％、または９９重量％、以上を含みうる。
【００３９】
後により詳細に説明するように、炭化水素気体ストリーム２２を、さらに、気体スチームクラッカ３５（たとえば、図１および図２）、第一分離ユニット３０（たとえば、図３）、またはスクラバ２３（たとえば、図４）に導入することができる。
【００４０】
炭化水素液体ストリーム２１は、パラフィン類、ｉ−パラフィン類、オレフィン類、ナフテン類、芳香族化合物類、有機塩化物類、またはそれらの組み合わせを含むことができる。炭化水素液体ストリーム２１がパラフィン類、ｉ−パラフィン類、オレフィン類、ナフテン類、および芳香族化合物類を含むとき、そのストリームはＰＩＯＮＡストリームと呼ぶことができる。炭化水素液体ストリーム２１がパラフィン類、オレフィン類、ナフテン類、および芳香族化合物類を含むとき、そのストリームはＰＯＮＡストリームと呼ぶことができる。
【００４１】
炭化水素液体ストリーム２１は、混合プラスチック中の塩化物の量よりも少ない量の１種以上の塩化物化合物類（たとえば、脂肪族塩素含有炭化水素類、芳香族塩素含有炭化水素類、および他の塩素含有炭化水素類などの有機塩化物類）を含むことができる。炭化水素液体ストリーム２１中の塩化物化合物類の量は、混合プラスチックストリーム１１中の塩化物化合物類の総重量に基づき、１００ｐｐｍｗ、５０ｐｐｍｗ、２５ｐｐｍｗ、または１０ｐｐｍｗ未満の塩化物（たとえば等価塩化物）とすることができる。混合プラスチックから炭化水素液体ストリームへの１種以上の塩化物化合物類の減少は、熱分解ユニット１０内での混合プラスチックの脱塩素化によるものである。
【００４２】
炭化水素液体ストリーム２１中に存在しうるパラフィン類の例としては、Ｃ１−Ｃ２２のｎ−パラフィン類およびｉ−パラフィン類が挙げられるが、これらに限定されなるものではない。パラフィン類は、炭化水素液体ストリーム２１の総重量に基づき、１０重量％未満の量で当該炭化水素液体ストリーム２１中に存在することができる。あるいは、パラフィン類は、炭化水素液体ストリーム２１中において、当該炭化水素液体ストリーム２１の総重量に基づき、１０重量％、２０重量％、３０重量％、４０重量％、５０重量％、６０重量％、またはそれ以上含まれうる。ある種の炭化水素液体ストリームは、炭素数２２までのオレフィン類を含むが、本開示は、オレフィン類の適切な範囲の上限として炭素数２２に限定されるものではなく、パラフィン類はより高い炭素数、たとえば２３、２４、２５、２６、２７、２８、２９、３０，３１、３２、３３、３４、３５、３６、３７、３８、３９、４０またはそれ以上を含むことができる。
【００４３】
炭化水素液体ストリーム２１中に存在しうるオレフィン類の例としては、Ｃ２−Ｃ１０オレフィン類およびそれらの組み合わせが挙げられるが、これらに限定されるものではない。熱分解ユニット１０内での水素化反応のために水素が当該熱分解ユニット１０に導入される場合、オレフィン類は、炭化水素の総重量に基づき１０重量％未満の量で炭化水素液体ストリーム２１中に存在しうる。あるいは、オレフィン類は、炭化水素液体ストリーム２１中に、５重量％、１０重量％、２０重量％、３０重量％，４０重量％またはそれ以上の量で存在することができる。ある種の炭化水素ストリームは１０までの炭素数のオレフィン類を含むが、本開示はオレフィン類の適切な範囲の上限として炭素数１０に限定されものではなく、オレフィン類は、より高い炭素数、たとえば、１１、１２、１３、１４、１５、１６、１７、１８、１９、２０、２１、２２、２３、２４、２５、２６、２７、２８、２９、３０、またはそれ以上、を含みうる。
【００４４】
いくつかの態様において、炭化水素液体ストリーム２１はオレフィン類を含まず、たとえば、当該炭化水素液体ストリーム２１はオレフィン類を実質的に含まない。
【００４５】
炭化水素液体ストリーム２１中に存在しうるナフテン類の例としては、シクロペンタン、シクロヘキサン、シクロヘプタン、およびシクロオクタンが挙げられるが、これらに限定されない。ナフテン類は、炭化水素液体ストリーム２１の総重量に基づいて１０重量％未満の量で当該炭化水素液体ストリーム２１中に存在することができる。あるいは、ナフテン類は、炭化水素液体ストリーム２１に、１０重量％、２０重量％、３０重量％、４０重量％またはそれ以上の量、存在することができる。ある種の炭化水素ストリームは、炭素数８までの炭素数のナフテン類を含むが、本開示は、適切な範囲のナフテン類の上限点としての炭素数８に限定されず、より高い数の炭素数、たとえば、９、１０、１１、１２、１３、１４、１５、１６、１７、１８、１９、２０、２１、２２、２３、２４、２５、２６、２７、２８、２９、３０またはそれ以上を含むことができる。
【００４６】
炭化水素液体ストリーム２１は、炭素数が、６、７、８、９、１０、１１、１２、１３、１４、１５、１６、１７、１８、１９、２０、２１、２２、２３、２４、２５、２６、２７、２８、２９、３０またはそれ以上の芳香族炭化水素類を含むことができる。一態様において、芳香族炭化水素類の炭素数は２２程度とすることができる。炭化水素液体ストリーム２１の一部としての本開示における使用に適した芳香族炭化水素類の非限定的な例としては、ベンゼン、トルエン、キシレン類、エチルベンゼン、プロピルベンゼン類、トリメチルベンゼン類、テトラメチルベンゼン類、ジメチルナフタレン、ビフェニルなど、またはそれらの組み合わせ、が含まれる。芳香族炭化水素類は、炭化水素液体ストリーム２１中に、炭化水素液体ストリーム２１の全重量に基づき、５重量％、１０重量％、１５重量％、２０重量％、２５重量％、３０重量％、３５重量％、４０重量％、５０重量％、６０重量％、７０重量％、８０重量％、またはそれ以上の量で存在することができる。
【００４７】
いくつかの態様において、１０重量％、または２５重量％、または５０重量％の炭化水素液体ストリーム２１は、約３７０℃未満の沸点を特徴とする。
【００４８】
他の態様において、約９０重量％、または９５重量％、または９９重量％以上の炭化水素液体ストリーム２１は、約３５０℃未満の沸点を特徴とする。
【００４９】
いくつかの態様において、そして、それぞれ図１および２のオレフィン類および芳香族炭化水素類製造システム１０１および１０２の構成に示されるように、混合プラスチックからオレフィン類および芳香族炭化水素類を製造するためのプロセスは、炭化水素液体蒸留ユニット２５内で、炭化水素液体ストリーム２１の一部を、当該炭化水素液体ストリーム２１の第一留分２６と、当該炭化水素液体ストリーム２１の第二留分２７とに分離することを含むことができ、ここで、炭化水素液体ストリーム２１の第一留分２６は約３００℃未満の沸点で特徴付けられ、炭化水素液体ストリーム２１の第二留分２７は約３００℃以上の沸点で特徴付けられる。炭化水素液体蒸留ユニット２５は、トレイまたはプレートを有する蒸留塔、充填剤を有する蒸留塔、またはそれらの組み合わせなどの任意の適切な蒸留塔を含むことができる。
【００５０】
炭化水素液体ストリームの第一留分２６は、パラフィン類、ｉ−パラフィン類、オレフィン類、ナフテン類、および約３００℃未満の沸点を有する芳香族化合物類を含む芳香族化合物類など、約３００℃未満の沸点を有する炭化水素液体ストリーム２１の任意の成分を含むことができる。炭化水素液体ストリームの第二留分２７は、パラフィン類、ｉ−パラフィン類、オレフィン類、ナフテン類、および約３００℃以上の沸点を有する芳香族化合物類など、約３００℃以上の沸点を有する炭化水素液体ストリーム２１の任意の成分を含むことができる。当業者によって理解されるように、そして本開示の助けを借りて、炭化水素液体ストリーム２１のいくつかの成分は共沸混合物を形成し、そしてそれ自体、約３００℃以上の沸点を有するいくつかの成分を、炭化水素液体ストリームの第一留分２６に見いだすことができ、ただし、炭化水素液体ストリームの第一留分２６は約３００℃未満の沸点を特徴とする。さらに、当業者には理解されるように、そして本開示の助けを借りて、炭化水素液体ストリーム２１のいくつかの成分は共沸混合物を形成し、そしてそれ自体、約３００℃未満の沸点を有するいくつかの成分は、炭化水素液体ストリームの第二留分２７に見いだすことができ、ただし、炭化水素液体ストリームの第二留分２７は約３００℃以上の沸点を特徴とする。
【００５１】
他の態様において、および図４のオレフィン類および芳香族炭化水素類製造システム１０４の構成に示されるように、混合プラスチックからオレフィン類および芳香族炭化水素類を製造するためのプロセスは、炭化水素液体蒸留ユニット２５内で、炭化水素液体ストリーム２１の一部を、当該炭化水素液体ストリームの第一留分２６と、当該炭化水素液体ストリームの第二留分２７とに分離することを含むことができ、ここで、炭化水素液体ストリームの第一留分２６は約４３０℃未満の沸点で特徴付けられ、炭化水素液体ストリームの第二留分２７は約４３０℃以上の沸点で特徴付けられる。本開示は、炭化水素液体ストリーム２１を約３００℃〜約４３０℃のカットオフ沸点付近で２つの留分に分留する炭化水素液体蒸留ユニット２５の関連で詳細に論じられるが、分別カットオフ沸点としては任意の適当な沸点を使用することができると理解されるべきである。当業者には理解されるように、そして本開示の助けを借りて、炭化水素液体蒸留ユニット２５から２つの留分を集めるためのカットオフ沸点は、十分な重質化合物の熱分解ユニットへの再循環と、液体スチームクラッカ４５のための十分な供給流、との両方を可能にする任意の適当なカットオフ沸点とするとができ、ここで、液体スチームクラッカ供給ストリームはクラッカの供給要件を満たす。さらに、２、３、４、５、６またはそれ以上などの留分など、任意の適当な数の留分を炭化水素液体蒸留ユニット２５から収集することが可能であると理解される。
【００５２】
一態様において、炭化水素液体蒸留ユニット２５内で炭化水素液体ストリーム２１を第一留分２６および第二留分２７に分留するためのカットオフ沸点は、約２５０℃〜約４５０℃、あるいは約３００℃〜約４５０℃、あるいは約３００℃〜約４３０℃、または約３２５℃〜約４００℃、とすることができる。
【００５３】
一態様において、炭化水素液体ストリームの第二留分２７は、熱分解ユニット１０に再循環されうる。理論によって限定されることを望むものではないが、第二留分２７は、より高い分子量および／またはより高い沸点の化合物を含み、これらのより重い化合物を熱分解ユニット１０に再循環することによって、それぞれ、より低い分子量および／またはより短い鎖を有するより多くの化合物が生成され、それによって、液体スチームクラッカ４５に導入されるストリーム（たとえば、第一留分２６、処理済み炭化水素液体ストリーム４１、処理済み炭化水素液体ストリームの第一留分４４など）に対する収率（たとえば、体積、量）が増加し、その結果、液体スチームクラッカ４５によって製造される高価値化学物質（たとえば、オレフィン類、芳香族炭化水素類）の収率が増加する。
【００５４】
いくつかの態様において、混合プラスチックからオレフィン類および芳香族炭化水素類を製造する方法は、炭化水素液体ストリーム２１の少なくとも一部および水素を水素処理ユニット４０に搬送して、処理済み炭化水素液体ストリーム４１および水素処理ユニット気体生成物ストリーム４２を製造することを含みうる。図３のオレフィン類および芳香族炭化水素類製造システム１０３の構成に示すように、炭化水素液体ストリーム２１の少なくとも一部を水素処理ユニット４０に導入することができる。
【００５５】
他の態様において、そしてそれぞれ図２および図４のオレフィン類および芳香族炭化水素類製造システム１０２および１０４の構成に示されるように、炭化水素液体ストリーム２１の一部（たとえば、第一留分２６）のみが水素処理ユニット４０に導入され、処理済み炭化水素液体ストリーム４１と水素処理ユニット気体生成物ストリーム４２とを作り出す。そのような態様において、炭化水素液体ストリーム２１の水素処理ユニット４０に導入される部分を、ここに開示されるように、蒸留によってストリーム２１から回収することができる。
【００５６】
水素処理ユニット４０は、水素化分解装置、流動接触分解装置、加水分解モードで操作される流動接触分解装置、熱分解反応装置、加水分解モードで操作される熱分解反応装置、水素処理装置、ヒドロ脱アルキル化ユニット、またはそれらの組み合わせ、などの任意の適切な水素処理反応装置とすることができる。いくつかの構成において、水素処理反応器は、熱分解反応器、温度制御攪拌槽バッチ式反応器、連続ロータリーキルン、二軸押出機反応器、流動接触分解器に類似の循環流動床反応器、バブリング流動床反応器など、または水素環境中で操作されるそれらの組み合わせ、とすることができる。加水分解モードで操作される流動接触分解装置および熱分解ユニットは、２０１４年７月１７日に出願の米国仮出願第６２／０２５，７６２号（特許文献１）および２０１５年７月１３日に出願の国際出願第ＰＣＴ／ＩＢ２０１５／０５５２９５号（特許文献２）にさらに詳細に記載されている。これらの各々は、その全体が参照により本明細書に組み込まれる。一般に、水素化熱分解とは水素の存在下で行われる熱分解プロセスを指す。
【００５７】
水素（Ｈ２）含有ストリームを、水素処理ユニット４０に入る前に炭化水素液体ストリーム２１および／または炭化水素液体ストリームの第一留分２６に添加することができる。追加的または代替的に、炭化水素液体ストリーム２１および／または当該炭化水素液体ストリームの第一留分２６とは独立して水素処理ユニット４０に直接供給されるＨ２含有ストリームを介して、水素処理ユニット環境をＨ２で富化するためにＨ２含有ストリームを水素処理ユニット４０に直接添加することができる。
【００５８】
水素処理ユニット４０は、約２５０℃〜約７３０℃、または、約３００℃〜約７００℃、あるいは、約３５０℃〜約６５０℃の温度を特徴とすることができる。
【００５９】
いくつかの態様において、水素処理ユニット生成物ストリームを水素処理ユニット４０から回収することができ、ここで、水素処理ユニット生成物ストリームは気相と液相とを含むことができる。そのような態様では、水素処理ユニット生成物ストリームは、処理済み炭化水素液体ストリーム４１と水素処理ユニット気体生成物ストリーム４２とに分離することができ、ここで処理済み炭化水素液体ストリーム４１は水素処理ユニット生成物ストリームの液相の少なくとも一部を含み、水素処理ユニット気体生成物ストリーム４２は水素処理ユニット生成物ストリームの気相の少なくとも一部を含む。
【００６０】
水素処理ユニット気体生成物ストリーム４２は、Ｃ１−Ｃ４炭化水素類、Ｈ２、不活性ガス（たとえば、窒素（Ｎ２）、アルゴン、ヘリウム、水蒸気）、ＨＣｌなど、またはそれらの組み合わせを含むことができる。水素処理ユニット気体生成物ストリーム４２は、炭化水素液体ストリーム２１の塩化物の少なくとも一部および／または炭化水素液体ストリームの第一留分２６の塩化物の少なくとも一部を含むことができる。本明細書で後により詳細に説明するように、水素処理ユニット気体生成物ストリーム４２の少なくとも一部をさらにスクラバ２３に導入することができる。
【００６１】
処理済み炭化水素液体ストリーム４１は、炭化水素液体ストリーム２１の沸点、および／または、炭化水素液体ストリームの第一留分２６の沸点より低い沸点を特徴とすることができる。炭化水素液体ストリーム２１および／または炭化水素液体ストリームの第一留分２６から処理済み炭化水素液体ストリーム４１への沸点の低下は、それぞれ、水素処理ユニット４０における、炭化水素液体ストリーム２１および／または炭化水素ストリームの第一留分２６のクラッキングによるものである。いくつかの態様において、処理済み炭化水素液体ストリーム４１は、約３００℃未満、約２７５℃未満、または約２５０℃未満の沸点を特徴とすることができる。当業者によって理解されるように、そして本開示の助けを借りて、水素処理ユニット４０への供給物（たとえば、約３００℃未満の沸点を有する炭化水素液体ストリームの第一留分２６）の沸点が約３００℃未満であるとき、もしも水素処理ユニット４０内で行われる水素処理プロセスが水素化分解プロセスであるならば、処理済み炭化水素液体ストリーム４１の沸点は、約３００℃よりも遥かに低いものでありうる。
【００６２】
炭化水素液体ストリーム２１および／または当該炭化水素液体ストリームの第一留分２６は芳香族化合物類を含みうる。いくつかの態様において、炭化水素液体ストリーム２１の芳香族化合物類の一部および／または当該炭化水素液体ストリームの第一留分２６は、水素処理ユニット４０内で開環反応を受けて非芳香族化合物類を生成することができ、ここで、さらなるクラッキングのために芳香族化合物類を液体スチームクラッカ４５にさらに導入することができ、それによって混合プラスチックからオレフィン類および芳香族炭化水素類を製造する方法における高価値化学物質の全体的な収率が増加する。
【００６３】
処理済み炭化水素液体ストリーム４１は、炭化水素液体ストリーム２１の塩化物量および／または当該炭化水素液体ストリームの第一留分２６の塩化物量よりも低い塩化物量を特徴とすることができる。いくつかの態様において、処理済み炭化水素液体ストリーム４１は、当該処理済み炭化水素液体ストリーム４１の全重量に基づき、約１０ｐｐｍｗ未満の塩化物、約７ｐｐｍｗ未満の塩化物、約５ｐｐｍｗ未満の塩化物、または約３ｐｐｍｗ未満の塩化物の量の１つ以上の塩化物化合物類を含みうる。
【００６４】
処理済み炭化水素液体ストリーム４１は、炭化水素液体ストリーム２１のオレフィン含有量、および／または、当該炭化水素液体ストリームの第一留分２６のオレフィン含有量、より低いオレフィン含有量を特徴とすることができる。いくつかの態様において、処理済み炭化水素液体ストリーム４１は、当該処理済み炭化水素液体ストリーム４１の総重量に基づいて約１重量％未満のオレフィン類のオレフィン含有量を特徴とすることができる。
【００６５】
いくつかの態様において、そしてそれぞれ図３および４のオレフィン類および芳香族炭化水素類製造システム１０３および１０４の構成に示されるように、混合プラスチックからオレフィン類および芳香族炭化水素類を製造するためのプロセスは、処理済み炭化水素液体蒸留ユニット４３内で処理済み炭化水素液体ストリーム４１の少なくとも一部を、当該処理済み炭化水素液体ストリームの第一留分４４と当該処理済み炭化水素液体ストリームの第二留分４７とに分離することを含む。処理済み炭化水素液体蒸留ユニット４３は、トレイまたはプレートを有する蒸留塔、充填剤を有する蒸留塔、またはそれらの組み合わせなどの任意の適切な蒸留塔を含むことができる。
【００６６】
いくつかの態様において、処理済み炭化水素液体ストリームの第一留分４４は、約４３０℃未満の沸点によって特徴付けることができ、炭化水素液体ストリームの第二留分４７は、約４３０℃以上の沸点によって特徴付けることができる。他の態様において、処理済み炭化水素液体ストリームの第一留分４４は約３００℃未満の沸点によって特徴付けることができ、炭化水素液体ストリームの第二留分４７は約３００℃以上の沸点によって特徴付けることができる。さらに他の態様において、処理済み炭化水素液体ストリームの第一留分４４は約３５０℃未満の沸点で特徴付けることができ、炭化水素液体ストリームの第二留分４７は約３５０℃以上の沸点で特徴付けることができる。本開示は、約３００℃〜約４３０℃のカットオフ沸点の周りで処理済み炭化水素液体ストリーム４１を２つの留分に分ける処理済み炭化水素液体蒸留ユニット４３の関連で詳細に論じられるが、分別カットオフ沸点として任意の適切な沸点を使用することが可能であると理解される。当業者には理解されるように、そして本開示の助けを借りて、処理済み炭化水素液体蒸留ユニット４３から２つの留分を集めるためのカットオフ沸点は、十分な重質化合物を熱分解ユニットに再循環させることと、液体スチームクラッカ４５のための十分な供給流を得ることとの両方を可能にする任意の適切なカットオフ沸点であってよく、ここで、液体スチームクラッカ供給流はクラッカの供給要件を満たす。さらに、２、３、４、５、６またはそれ以上の留分などの任意の適切な数の留分を処理済み炭化水素液体蒸留ユニット４３から収集することが可能であると理解される。
【００６７】
一態様において、処理済み炭化水素液体蒸留ユニット４３内において処理済み炭化水素液体ストリーム４１を第一留分４４と第二留分４７とに分留するためのカットオフ沸点は、約２５０℃〜約４５０℃、あるいは、約３００℃〜約４３０℃、あるいは、約３２５℃〜約４００℃、にすることができる。
【００６８】
いくつかの態様において、処理済み炭化水素液体ストリームの第一留分４４は、パラフィン類、ｉ−パラフィン類、オレフィン類、ナフテン類、および約４３０℃未満の沸点を有する芳香族化合物類などの、約４３０℃未満の沸点を有する処理済み炭化水素液体ストリーム４１の任意の成分を含みうる。処理済み炭化水素液体ストリームの第二留分４７は、パラフィン類、ｉ−パラフィン類、オレフィン類、ナフテン類、および約４３０℃以上の沸点を有する芳香族化合物類などの、約４３０℃以上の沸点を有する処理済み炭化水素液体ストリーム４１の任意の成分を含みうる。当業者によって理解されるように、そしてこの開示の助けを借りて、処理済み炭化水素液体ストリーム４１のいくつかの成分は共沸混合物を形成し、従って、約４３０℃以上の沸点を有するいくつかの成分を処理済み炭化水素液体ストリームの第一留分４４中に見出すことができる。ただし、処理済み炭化水素液体ストリームの第一留分４４は約４３０℃未満の沸点を特徴とする。さらに、当業者によって理解されるように、そしてこの開示の助けを借りて、処理済み炭化水素液体ストリーム４１のいくつかの成分は共沸混合物を形成し、従って、約４３０℃未満の沸点を有するいくつかの成分を処理済み炭化水素液体ストリームの第二留分４７中に見出すことができる。ただし、処理済み炭化水素液体ストリームの第二留分４７は約４３０℃以上の沸点を特徴とする。
【００６９】
一態様において、処理済み炭化水素液体ストリームの第二留分４７は、熱分解ユニット１０に再循環されうる。理論によって限定されることを望むものではないが、第二留分２７は、より高い分子量および／またはより高い沸点の化合物を含み、これらのより重い化合物を熱分解ユニット１０に再循環することによって、それぞれ、より低い分子量および／またはより短い鎖を有するより多くの化合物が生成され、それによって、液体スチームクラッカ４５に導入されるストリームに対する収率（たとえば、体積、量）が増加し、その結果、液体スチームクラッカ４５によって製造される高価値化学物質（たとえば、オレフィン類、芳香族炭化水素類）の収率が増加する。
【００７０】
いくつかの態様において、混合プラスチックからオレフィン類および芳香族炭化水素類を製造するための方法は、炭化水素液体ストリームの第一留分２６の少なくとも一部および／または処理済み炭化水素液体ストリーム４１の少なくとも一部を液体スチームクラッカ４５に搬送して液体スチームクラッカ生成物ストリーム４６を製造することを含むことができる。図１のオレフィン類および芳香族炭化水素類製造システム１０１の構成に示すように、炭化水素液体ストリームの第一留分２６の少なくとも一部が、液体スチームクラッカ４５に導入されうる。さらに、図２のオレフィン類および芳香族炭化水素類製造システム１０２の構成に示すように、処理済み炭化水素液体ストリーム４１の少なくとも一部を液体スチームクラッカ４５に導入することができる。
【００７１】
他の態様において、そしてそれぞれ図３および４のオレフィン類および芳香族炭化水素類製造システム１０３および１０４の構成に示されるように、処理済み炭化水素液体ストリーム４１の一部（たとえば、第一留分４４）のみが、液体スチームクラッカ生成物ストリーム４６を製造するべく液体スチームクラッカ４５に導入される。このような態様では、ここに開示されるように、液体スチームクラッカ４５に導入される処理済み炭化水素液体ストリーム４１の一部は、蒸留によって当該ストリーム４１から回収することができる。
【００７２】
炭化水素液体ストリームの第一留分２６、処理済み炭化水素液体ストリーム４１、および／または当該処理済み炭化水素液体ストリームの第一留分４４は、塩化物含有量、オレフィン含有量、および沸点エンドポイントについての液体スチームクラッカ供給要件を満たす。
【００７３】
液体スチームクラッカ４５は、一般に、個々のスチームクラッカの運転上の制約に応じて供給要件（たとえば、低オレフィン含有量の脱塩素化供給原料を必要とする）を有する。第一に、液体スチームクラッカ４５は、当該液体スチームクラッカ４５への供給物中の塩化物化合物類の量を少なくすることを必要とする。第二に、液体スチームクラッカ４５は、当該液体スチームクラッカ４５に供給されるストリーム中のオレフィン類の量が少ないことを必要とする。液体スチームクラッカ４５は、高温で、炭化水素液体ストリームの第一留分２６、処理済み炭化水素液体ストリーム４１、および／または当該処理済み炭化水素液体ストリームの第一留分４４中の成分の炭素−炭素結合を分解または開裂して、蒸気の存在下で、高価値の製品（例：高価値の化学物質）を生成する。
【００７４】
当業者によって理解されるように、そして本開示の助けを借りて、スチームクラッキング生成物の組成は反応器パラメータ（たとえば、温度、滞留時間、炭化水素対スチーム比など）、さらにクラッカへの供給物の組成、に依存する。液体供給ストリーム（たとえば、液体スチームクラッカ４５への供給ストリーム）中のような、より重質の炭化水素は、かなりの量の芳香族炭化水素類（たとえば、Ｃ６−Ｃ８芳香族炭化水素類）、さらにオレフィン類（たとえば、軽質ガスオレフィン類、エチレン、プロピレン、ブチレン、ブタジエンなど）、を生成する。気体供給ストリーム（たとえば気体スチームクラッカ３５への供給ストリーム）のような、より軽質の供給ストリームは、一般に軽質ガスオレフィン類、エチレン、プロピレン、ブチレン、ブタジエンなどを生成する。
【００７５】
高付加価値化学物質を含む液体スチームクラッカ生成物ストリーム４６を液体スチームクラッカ４５から回収することができ、ここで高価値化学物質は、軽質ガスオレフィン類、エチレン、プロピレン、ブチレン、ブタジエン、芳香族化合物類（たとえば、Ｃ６−Ｃ８芳香族化合物類）など、またはそれらの組み合わせを含む。
【００７６】
液体スチームクラッカ生成物ストリーム４６は、炭化水素液体ストリームの第一留分２６のオレフィン含有量、および／または、処理済み炭化水素ストリームの第一留分４４のオレフィン含有量よりも大きいオレフィン含有量によって特徴付けることができる。
【００７７】
いくつかの態様において、ここで後により詳細に説明するように、液体スチームクラッカ生成物ストリーム４６の少なくとも一部を第二分離ユニット５０に搬送することができる。
【００７８】
一態様において、たとえば図１のオレフィン類および芳香族炭化水素類製造システム１０１および図２のシステム１０２の構成に示すように、混合プラスチックからオレフィン類および芳香族炭化水素類を製造する方法は、炭化水素気体ストリーム２２の少なくとも一部を気体スチームクラッカ３５に搬送して、気体スチームクラッカ生成物ストリーム３６を生成することを含むことができる。
【００７９】
いくつかの態様において、そして図４のオレフィン類および芳香族炭化水素類製造システム１０４の構成に示されるように、炭化水素気体ストリーム２２の少なくとも一部、および／または、水素処理ユニット気体生成物ストリーム４２の少なくとも一部（たとえば、水素処理ユニット気体生成物ストリームの一部４２ｃ）、をスクラバ２３に導入して、処理済み炭化水素気体ストリーム２４を生成することができ、ここで、処理済み炭化水素気体ストリーム２４中のＨＣｌの量は、炭化水素気体ストリーム２２、および／または、水素処理ユニット生成物ストリームの部分４２ｃ中のＨＣｌの量よりも少なく、さらに、ここで、炭化水素気体ストリーム２２、および／または、水素処理ユニット気体生成物ストリームの部分４２ｃ、中のＨＣｌの少なくとも一部がスクラバ２３内で除去される。一態様において、処理済み炭化水素気体ストリーム２４中の塩化物量は、炭化水素気体ストリーム２２中の塩化物量、および／または、水素処理ユニット気体生成物ストリームの部分４２ｃ中の塩化物量、未満である。
【００８０】
スクラバ２３は、炭化水素気体ストリーム２２の少なくとも一部、および／または。水素処理ユニット気体生成物ストリームの一部４２ｃから、塩化物の少なくとも一部（たとえばＨＣｌなどの塩素含有ガス）を（たとえば、反応、吸収、またはそれらの組み合わせを介して）除去して、処理済み炭化水素気体ストリーム２４を得ることが可能な、苛性溶液（たとえば、水酸化ナトリウムおよび／または水酸化カリウムの水溶液）を含むことができる。処理済み炭化水素気体ストリーム２４の少なくとも一部を、さらに、塩化物吸収剤と接触させて、残りの塩化物を処理済み炭化水素気体ストリーム２４から除去することができる。本開示での使用に適した塩化物吸着剤の非限定的な例としては、アタパルジャイト、活性炭、ドロマイト、ベントナイト、酸化鉄、針鉄鉱、赤鉄鉱、磁鉄鉱、アルミナ、ガンマアルミナ、シリカ、アルミノシリケート類、イオン交換樹脂類、ハイドロタルサイト類、スピネル類、各種酸化銅、酸化亜鉛、酸化ナトリウム、酸化カルシウム、酸化マグネシウム、金属担持ゼオライト類、モレキュラーシーブ１３Ｘなど、またはそれらの組み合わせ、が含まれる。スクラバ２３は、固定床、流動床、沸騰床、またはそれらの組み合わせの中に塩化物吸着剤を含むことができる。
【００８１】
いくつかの態様において、そして図３および４に示されるように、炭化水素気体ストリーム２２の少なくとも一部、水素処理ユニット気体生成物ストリームの一部４２ｂ、および／または、処理済み炭化水素ガスの少なくとも一部を第一分離ユニット３０に導入して、第一オレフィン気体ストリーム３１と第一飽和炭化水素類気体ストリーム３２とを生成することができる。
【００８２】
第一オレフィン気体ストリーム３１は、炭化水素気体ストリーム２２の少なくとも一部、および／または、水素処理ユニット気体生成物ストリームの少なくとも一部の、オレフィン類の一部を含む。第一オレフィン気体ストリーム３１は、エチレン、プロピレン、ブチレン、ブタジエン、またはそれらの組み合わせを含む。
【００８３】
第一飽和炭化水素類気体ストリーム３２は、炭化水素気体ストリーム２２の少なくとも一部、水素処理ユニット気体生成物ストリームの一部４２ｂ、および／または、処理済み炭化水素気体ストリーム２４の少なくとも一部、の飽和炭化水素類の少なくとも一部を含む。第一飽和炭化水素類気体ストリーム３２は、メタン、エタン、プロパン、ブタン類、水素、またはそれらの組み合わせを含む。第一飽和炭化水素類気体ストリーム３２は、当該第一飽和炭化水素類気体ストリーム３２の総重量に基づいて約１重量％未満のオレフィン類のオレフィン含有量を特徴とする。第一飽和炭化水素類気体ストリーム３２は実質的にオレフィン類を含まない。
【００８４】
いくつかの態様において、そして図１−図４に示されるように、混合プラスチックからオレフィン類および芳香族炭化水素類を製造するための方法は、炭化水素気体ストリーム２２の少なくとも一部、水素処理ユニット気体生成物ストリーム４２の少なくとも一部（たとえば、水素処理ユニット気体生成物ストリームの一部４２ａ）、および／または、第一飽和炭化水素類気体ストリーム３２の少なくとも一部を、気体スチームクラッカ３５に供給して気体スチームクラッカ生成物ストリーム３６を生成することを含むことができる。
【００８５】
炭化水素気体ストリーム２２、水素処理ユニット気体生成物ストリーム４２（たとえば、水素処理ユニット気体生成物ストリームの一部４２ａ）、および／または、第一飽和炭化水素類気体ストリーム３２は、塩化物の気体スチームクラッカ供給物の、塩化物含有量、オレフィン含有量、および沸点エンドポイントの要件を満たす。
【００８６】
気体スチームクラッカ３５は、一般に、個々のスチームクラッカの運転上の制約に応じた供給要件を有する（たとえば、低オレフィン含有量の脱塩素化供給原料を必要とする）。第一に、気体スチームクラッカ３５は、当該気体スチームクラッカ３５への供給物中の塩化物化合物類の量が少ないことを必要とする。第二に、気体スチームクラッカ３５は、当該気体スチームクラッカ３５に供給されるストリーム中のオレフィン類の量が少ないことを必要とする。気体スチームクラッカ３５は、高温で、炭化水素気体ストリーム２２、水素処理ユニット気体生成物ストリーム４２（たとえば、水素処理ユニット気体生成物ストリームの一部４２ａ）、および／または第一飽和炭化水素類気体ストリーム３２中の成分の炭素−炭素結合を、スチーム存在下で、分解または開裂して、高価値製品（たとえば、高価値化学物質）を作り出す。当業者には理解されるように、そしてこの開示の助けを借りて、気体スチームクラッカ３５への気体供給ストリームは、一般に、軽質ガスオレフィン類、エチレン、プロピレン、ブチレン、ブタジエンなどを作り出す。
【００８７】
高価値化学物質を含む気体スチームクラッカ生成物ストリーム３６を、気体スチームクラッカ３５から回収することができ、ここで高価値化学物質は、軽質ガスオレフィン類、エチレン、プロピレン、ブチレン、ブタジエンなど、またはそれらの組み合わせを含む。気体スチームクラッカ生成物ストリーム３６は、炭化水素気体ストリーム２２のオレフィン含有量、水素処理ユニット気体生成物ストリーム４２のオレフィン含有量（たとえば、部分４２ａのオレフィン含有量）、および／または、第一飽和炭化水素類気体ストリーム３２のオレフィン含有量よりも大きいオレフィン含有量によって特徴付けることができる。
【００８８】
いくつかの態様において、そして図３および図４に示されるように、第一オレフィン気体ストリーム３１の少なくとも一部、気体スチームクラッカ生成物ストリーム３６の少なくとも一部、液体スチームクラッカ生成物ストリーム４６の少なくとも一部、またはこれらの組み合わせを、第二分離ユニット５０に導入して、第二飽和炭化水素類気体ストリーム５１、第二オレフィン気体ストリーム５２、Ｃ６−Ｃ８芳香族類ストリーム５３、Ｃ９＋芳香族類ストリーム５４、および非芳香族重質ストリーム５５を作り出すことができ、ここで、第二飽和炭化水素類気体ストリーム５１はメタン、エタン、プロパン、ブタン類、水素、またはそれらの組み合わせを含み、ここで、第二オレフィン気体ストリーム５２はエチレン、プロピレン、ブチレン、ブタジエン、またはそれらの組み合わせを含み、ここで、Ｃ６−Ｃ８芳香族類ストリーム５３はＣ６−Ｃ８芳香族炭化水素類、ベンゼン、トルエン、キシレン類、エチルベンゼン、またはそれらの組み合わせを含み、ここで、Ｃ９＋芳香族類ストリーム５４はＣ９＋芳香族炭化水素類を含み、かつ、非芳香族重質ストリーム５５はＣ６＋芳香族炭化水素類以外のＣ５＋炭化水素類を含む。当業者には理解されるように、そして本開示の助けを借りて、非芳香族重質ストリーム５５の炭化水素は、（ｉ）Ｃ６−Ｃ８芳香族炭化水素類を除外し、（ｉｉ）Ｃ９＋芳香族炭化水素類を除外し、（ｉｉｉ）Ｃ５＋オレフィン類を含み、そして（ｉｖ）Ｃ５＋パラフィン類、イソパラフィン類、およびナフテン類を含む。
【００８９】
いくつかの態様において、第二飽和炭化水素類気体ストリームの一部５１ａは、気体スチームクラッカ３５に再循環されうる。第二飽和炭化水素類気体ストリーム５１は、約１重量％未満のオレフィン類のオレフィン含有量によって特徴付けられる。第二飽和炭化水素類気体ストリーム５１は、オレフィン類を実質的に含まない。
【００９０】
いくつかの態様において、非芳香族重質ストリーム５５は、約３００℃未満、２７５℃未満、または２５０℃未満の沸点を特徴とすることができる。非芳香族重質ストリームの一部５５ａは、液体スチームクラッカ４５の上流側の水素処理ユニット４０に再循環されうる。追加的にまたは代替的に、非芳香族重質油ストリームの部分５５ｂは、液体スチームクラッカ４５に再循環されうる。
【００９１】
いくつかの態様において、Ｃ９＋芳香族類ストリームの一部５４ａは、液体スチームクラッカ４５の上流側の水素処理ユニット４０に再循環される。
【００９２】
第二オレフィン気体ストリーム５２の収率は、約６０％以上、またはそれ以上でありうる。Ｃ６−Ｃ８芳香族類ストリーム５３の収率は、約１５％、２０％以上、またはそれ以上でありうる。ここでの開示の目的のために、収率は混合プラスチックストリーム１１に関して計算される。
【００９３】
混合プラスチックからオレフィン類および芳香族炭化水素類を製造する方法は、（ａ）熱分解ユニット内で混合プラスチックを炭化水素生成物に変換する、ここで、炭化水素生成物は気相および液相を含む、（ｂ）熱分解分離ユニット内で炭化水素生成物を炭化水素気体ストリームと炭化水素液体ストリームとに分離する、ここで、炭化水素気体ストリームは炭化水素生成物の気相の少なくとも一部を含み、炭化水素気体ストリームはオレフィン類、飽和炭化水素類および塩酸（ＨＣｌ）を含み、かつ、炭化水素液体ストリームは炭化水素生成物の液相の少なくとも一部を含む、（ｃ）炭化水素気体ストリームの少なくとも一部をスクラバに導入して処理済み炭化水素気体ストリーム生成する、ここで、処理済み炭化水素気体ストリーム中のＨＣｌの量は炭化水素気体ストリーム中のＨＣｌの量よりも少なく、かつ、炭化水素気体ストリーム中のＨＣｌの少なくとも一部がスクラバ内で除去される、（ｄ）処理済み炭化水素気体ストリームの少なくとも一部を第一分離ユニットに導入して第一飽和炭化水素類気体ストリームおよび第一オレフィン気体ストリームを生成する、ここで、第一飽和炭化水素類気体ストリームは処理済み炭化水素気体ストリームの飽和炭化水素類の少なくとも一部を含み、かつ、第一飽和炭化水素類気体ストリームは当該第一飽和炭化水素類気体ストリームの全重量に基づいて約１重量％未満のオレフィン含有量を特徴とする、（ｅ）第一飽和炭化水素類気体ストリームの少なくとも一部を気体スチームクラッカに供給して、気体スチームクラッカ生成物ストリームを作り出す、ここで、気体スチームクラッカ生成物ストリーム中のオレフィン類の量は第一飽和炭化水素類気体ストリーム中のオレフィン類の量より多い、（ｆ）炭化水素液体ストリームの少なくとも一部を当該炭化水素液体ストリームの第一留分と当該炭化水素液体ストリームの第二留分とに分離する、ここで、炭化水素液体ストリームの第一留分は約４３０℃未満、あるいは約３００℃未満、の沸点を特徴とし、炭化水素液体ストリームの第二留分は約４３０℃以上、あるいは約３００℃以上の沸点を特徴とする、（ｇ）炭化水素液体ストリームの第一留分の少なくとも一部と水素とを水素処理ユニットに搬送して処理済み炭化水素液体ストリームと水素処理ユニット気体生成物ストリームとを生成する、ここで、処済み炭化水素液体ストリームは、当該処理済み炭化水素液体ストリームの総重量に基づいて約１０ｐｐｍｗ未満の塩化物を特徴とし、かつ、処理済み炭化水素液体ストリームは、当該処理済み炭化水素液体ストリームの総重量に基づいて約１重量％未満のオレフィン類のオレフィン含有量によって特徴付けられる、（ｈ）処理済み炭化水素液体ストリームの少なくとも一部を、当該処理済み炭化水素液体ストリームの第一留分と当該処理済み炭化水素液体ストリームの第二留分とに分離する、ここで、処理済み炭化水素液体ストリームの第一留分は処理済み炭化水素液体ストリームの第二留分よりも低い沸点によって特徴付けられる、（ｉ）処理済み炭化水素液体ストリームの第一留分の一部を液体スチームクラッカに供給して、液体スチームクラッカ生成物ストリームを作る、ここで、液体スチームクラッカ生成物ストリームのオレフィン類の量は、処理済み炭化水素液体ストリーム中のオレフィン類の量よりも多い、（ｊ）水素処理ユニット気体生成物ストリームの少なくとも一部をスクラバ、第一分離ユニット、および／または、気体スチームクラッカに供給する、（ｋ）気体スチームクラッカ生成物ストリームの少なくとも一部、液体スチームクラッカ生成物ストリームの少なくとも一部、第一オレフィン気体ストリームの少なくとも一部、またはこれらの組み合わせを第二分離ユニットに導入して、第二オレフィン気体ストリーム、第二飽和炭化水素類気体ストリーム、Ｃ６−Ｃ８芳香族類ストリーム、Ｃ９＋芳香族類ストリーム、および非芳香族重質ストリームを作り出す、ここで、第二オレフィン気体ストリームはエチレン、プロピレン、ブチレン、ブタジエン、またはそれらの組み合わせを含み、第二飽和炭化水素類気体ストリームはメタン、エタン、プロパン、ブタン類、水素、またはそれらの組み合わせを含み、Ｃ６−Ｃ８芳香族類ストリームはＣ６−Ｃ８芳香族炭化水素類、ベンゼン、トルエン、キシレン類、エチルベンゼン、またはそれらの組み合わせを含み、Ｃ９＋芳香族類ストリームはＣ９＋芳香族炭化水素類を含み、かつ、非芳香族重質ストリームはＣ６＋芳香炭化水素以外のＣ５＋炭化水素を含む、（ｌ）第二飽和炭化水素類気体ストリームの少なくも一部を気体スチームクラッカに再循環する、（ｍ）非芳香族重質ストリームの少なくとも一部、および／または、Ｃ９＋芳香族類ストリームの少なくとも一部を水素処理ユニットに再循環する、そして、（ｎ）炭化水素液体ストリームの第二留分の少なくとも一部、および／または、処理済み炭化水素液体ストリームの第二留分の少なくとも一部を、熱分解ユニットに再循環する。当業者によって理解されるように、また、本開示の助力によって、炭化水素液体ストリームの第一留分が約４３０℃未満の沸点によって特徴付けられるとき、炭化水素液体ストリームの第二留分は約４３０℃以上の沸点によって特徴付けられる。さらに、当業者によって理解されるように、また、本開示の助力により、炭化水素液体ストリームの第一留分が約３００℃未満の沸点によって特徴付けられるとき、炭化水素液体ストリームの第二留分は約３００℃以上の沸点によって特徴付けられる。
【００９４】
ここに開示されているような混合プラスチックからオレフィン類および芳香族炭化水素類を製造する方法は、熱分解から得られる液体を処理するための液体スチームクラッカと、熱分解から得られる気体を処理するための気体スチームクラッカとを使用しないその他の点で類似の方法と比較したとき、単数または複数のプロセス特性における改善を有利に示すことができる。ここに開示の混合プラスチックからオレフィン類および芳香族炭化水素類を製造する方法は、軽量ガスオレフィン類と、さらに、Ｃ６−Ｃ８芳香族類との全体の収率の増加を有利に提供することができる。
【００９５】
ここに開示の混合プラスチックからオレフィン類および芳香族炭化水素類を作り出す方法は、飽和ストリームを水蒸気分解に、ならびに重質芳香族類ストリームを水素化分解に有利にリサイクルすることができ、それによってオレフィン類およびＣ６−Ｃ８などの高価値化学物質の全体収率を増加させる。ここに開示されているような混合プラスチックからオレフィン類および芳香族炭化水素類を製造する方法のさらなる利点は、この開示を見ることによって当業者には明らかであろう。
【実施例】
【００９６】
以上、本発明について一般的に説明してきたが、以下の例は、本開示の特定の実施形態として、そしてその実施および利点を示すために与えられる。これらの例は説明のために示されており、特許請求の範囲の明細書を限定することを決して意図するものではないことが理解される。
【００９７】
〔実施例１〕
混合プラスチック廃棄物を、低過酷度条件でモジュール式ユニット内においてクラッキング、あるいは、低過酷度条件で循環流動層中において触媒（接触）クラッキングして、熱分解オイルを生成した。これらのクラッキング実験の結果を以下に示す。カップ混合物温度は４００〜６００℃、具体的には４５０〜５５０℃の範囲で変化させた。運転の過酷度に応じて、気体生成物と液体生成物とを分離した。分解液体生成物の組成を下の表に示す。ガス中に存在する飽和炭化水素類を、エタンクラッカまたはプロパンクラッカであるガスクラッカに送った。ガスクラッカは、所望の最終生成物に応じて選択された。熱分解ユニットからの分解された液体は、それは液体／ナフサ分解装置の要件であることから、全ての液体オレフィン類を飽和させるために水素処理に送られた。市販の水素処理触媒を使用して、水素処理を３００〜４５０℃および圧力２０〜１００ｂａｒｇで実施して、水素処理油を製造した。この水素処理油の典型的な組成は、パラフィン類３５〜４５％、イソパラフィン類３５〜４５％、ナフテン類１５〜２０％、および芳香族化合物類５〜１０％であり、沸点は４００℃未満であった。以下の表は、水素処理油（たとえば、ストリーム４１のような処理済み炭化水素液体ストリーム）の組成の一例を示す。次いで水素処理した油をスチームクラッキングにかけ、そこで軽質ガスオレフィン類を最大化し、そして生成したガス飽和物をガスクラッカに送った。この例では、熱分解によって生成された１６．３重量％の飽和物をガスクラッカに送って、エチレンおよびプロピレンなどのより軽質のガスオレフィン類を形成した。
【００９８】
水素処理油、通常はパイガス、は、高い芳香族含有量を有するナフサ範囲の物質であった。この液体は、穏やかな水素化の後に芳香族抽出にかけることができ、そして非芳香族ストリームをさらなる分解のためにナフサ／スチームクラッカに送り返すことができる。
【００９９】
パラフィン類、オレフィン類、ナフテン類、および芳香族化合物類（Ｐ／Ｏ／Ｎ／Ａ）の組成を有するスチームクラッカへの飽和熱分解油の供給についての結果を以下に示す。
【０１００】
【表１】
2019534926.tif 000003
【０１０１】
【表２】
2019534926.tif 000004
【０１０２】
【表３】
2019534926.tif 000005
【０１０３】
熱分解液の組成に応じて、それが連続循環流動床からの低苛酷接触分解からであれ、または任意のモジュール技術からの熱分解からであれ、芳香族抽出ユニットはスチームクラッカの前またはスチームクラッカの後に配置することができる。熱分解液の芳香族含有量が４０％を超える場合、スチームクラッカの前に芳香族抽出を行うことは、コークス形成を最小限に抑えて、それをスチームクラッカに送る前にベンゼン、トルエン、キシレンおよびエチルベンゼンなどの高価値化学物質の回収を最大限にすることができる。
【０１０４】
スチームクラッカから得られた生成物は、２重量％のスチーム／オイル（Ｓ／Ｏ）比、０．１秒の反応滞留時間、および８５０℃の温度で下に示される。本開示の目的のために、Ｓ／Ｏ比は、スチームクラッカの総炭化水素供給量当たりのスチームクラッカに添加されたスチームの質量百分率で表される比を指す。
【０１０５】
【表４】
2019534926.tif 000006
【０１０６】
〔実施例２〕
この例は、オレフィン類供給原料（たとえば、高密度ポリエチレン（ＨＤＰＥ）、低密度ポリエチレン（ＬＤＰＥ）、線状低密度ポリエチレン（ＬＬＤＰＥ）、およびポリプロピレン（ＰＰ））８２％、ポリスチレン（ＰＳ）１１％、ポリエチレンテレフタレート（ＰＥＴ）７％（残余）、を有する混合廃プラスチックの低および高過酷度熱分解に関する。この実験は連続接触分解循環流動床中で行われた。全てのケースにおいて、第一工程で製造される軽質ガスオレフィン類は２８％超で飽和し、その飽和物は、軽質ガスオレフィン類をさらに増加させるべく、ガスクラッカに直接送ることができる。ガソリンおよびディーゼル範囲の材料は、液体オレフィン類を飽和させるために水素処理することができ、さらにナフサクラッカに送ることができる。第一工程熱分解とそれに続く飽和ガス分子のガスクラッキングおよび液体用のナフサクラッカとを組み合わせた軽質ガスオレフィン類の全体的な構成は、供給されるプラスチックの６０重量％超を占めうる。
【０１０７】
未転化飽和物は、さらなるクラッキングおよび軽質ガスオレフィン類の形成のためにクラッカに再循環して戻すことができる。ナフサクラッカから得られたパイガスは芳香族化合物類に富んでおり、それはベンゼン、トルエン、キシレン（ＢＴＸ）、およびエチルベンゼン（ＥＢ）（ＢＴＸ＋ＥＢ）の分離のための芳香族抽出に送られる。
【０１０８】
全体として、熱分解ユニットをガスクラッカおよび液体クラッカと組み合わせることによって、軽質ガスオレフィン類などの高価値化学物質は６０％超となり、ＢＴＸ＋ＥＢは１５〜２０％超となる。
【０１０９】
熱分解油ＰＩＯＮＡに基づくガソリンおよびディーゼルの範囲の熱分解油中の液体飽和物のイールドは、高価値化学物質への変換のためにナフサクラッカに送られるであろう。ＢＴＸ＋ＥＢであるＣ６−Ｃ８範囲の芳香族化合物類は、水素化後に分離されるであろう。通常、二環式および三環式芳香族化合物類である高級芳香族化合物類もまた、開環によって飽和または変換され、次いでガソリン飽和物、ディーゼルおよび重質範囲飽和物からなる総供給物が、軽質ガスオレフィン類およびＢＴＸ＋ＥＢ範囲の芳香族化合物類の総収率を増大させるべく、スチームクラッカに供給される。
【０１１０】
〔実施例３〕
この例は、オレフィン類供給原料（たとえば、高密度ポリエチレン（ＨＤＰＥ）、低密度ポリエチレン（ＬＤＰＥ）、線状低密度ポリエチレン（ＬＬＤＰＥ）、およびポリプロピレン（ＰＰ））８２％、ポリスチレン（ＰＳ）１１％、ポリエチレンテレフタレート（ＰＥＴ）７％（残余）、を有する混合廃プラスチックの低および高過酷度熱分解に関する。この実験は連続接触分解循環流動床中で行われた。
【０１１１】
【表５】
2019534926.tif 000007
【０１１２】
全体として、上記の例を通して、図１−図４に示されるような統合フローシートのプロセス構成に関与するプロセスは、Ｃ６−Ｃ８範囲の軽質ガスオレフィン類および単環芳香族化合物類を生成することが実証されている。
【０１１３】
本開示を、以下の実施形態によってさらに説明するが、これらはいかなる点においてもその範囲に対する限定を加えるものと解釈されてはならない。むしろ、ここでの説明を読んだ後に、本発明の要旨、または添付の請求項の範囲から逸脱することなく当業者に示唆されうる様々な他の態様、実施形態、修正、およびそれらの均等物に依拠しうるものであると、明確に理解される。
【０１１４】
〔追加の開示〕
以下は、非限定的な例として提供される列挙された態様である。
【０１１５】
第一の態様は、混合プラスチックからオレフィン類および芳香族炭化水素類を製造する方法であって、以下を含む、（ａ）熱分解ユニット内で混合プラスチックを炭化水素生成物に変換する、ここで、炭化水素生成物は気相および液相を含む、（ｂ）炭化水素生成物の少なくとも一部を炭化水素気体ストリームと炭化水素液体ストリームとに分離する、ここで、炭化水素気体ストリームは炭化水素生成物の気相の少なくとも一部を含み、かつ、炭化水素液体ストリームは炭化水素生成物の液相の少なくとも一部を含む、（ｃ）炭化水素気体ストリームの少なくとも一部を、気体スチームクラッカ生成物ストリームを生成するために気体スチームクラッカに供給する、ここで気体スチームクラッカ生成物ストリームはオレフィン類を含み、かつ、気体スチームクラッカ生成物ストリーム中のオレフィン類の量は炭化水素気体ストリーム中のオレフィン類の量より多い、（ｄ）炭化水素液体ストリームの少なくとも一部を当該炭化水素液体ストリームの第一留分と当該炭化水素液体ストリームの第二留分とに分離する、ここで、炭化水素液体ストリームの第一留分は約３００℃未満の沸点を特徴とし、かつ、炭化水素液体ストリームの第二留分は約３００℃以上の沸点を特徴とする、（ｅ）液体スチームクラッカ生成物ストリームを製造するために炭化水素液体ストリームの第一留分の少なくとも一部を液体スチームクラッカに供給する、ここで、液体スチームクラッカ生成物ストリームはオレフィン類と芳香族炭化水素類とを含み、かつ、液体スチームクラッカ生成物ストリーム中のオレフィン類の量は炭化水素液体ストリームの第一留分中のオレフィン類の量より多い、そして、（ｆ）炭化水素液体ストリームの第二留分の少なくとも一部を熱分解ユニットに再循環する。
【０１１６】
第二の態様は、第一態様の方法であって、気体スチームクラッカ生成物ストリームのオレフィン類は、軽質ガスオレフィン類、エチレン、プロピレン、ブチレン、ブタジエン、またはそれらの組み合わせを含む。
【０１１７】
第３態様は、第一および第二態様のいずれかの方法であって、炭化水素気体ストリームは、塩酸（ＨＣｌ）、一酸化炭素（ＣＯ）、二酸化炭素（ＣＯ２）、水素（Ｈ２）、軽質ガスオレフィン類、および飽和炭化水素類をさらに含み、かつ、炭化水素気体ストリームの少なくとも一部を気体スチームクラッカに供給する工程（ｃ）は、さらに、（ｉ）炭化水素気体ストリームの少なくとも一部をスクラバに導入して処理済み炭化水素気体ストリームを作る工程、ここで、処理済み炭化水素気体ストリーム中のＨＣＬの量は炭化水素気体ストリーム中のＨＣＬの量より少なく、かつ、炭化水素気体ストリーム中のＨＣｌの少なくとも一部はスクラバ内で除去される、（ｉｉ）処理済み炭化水素気体ストリームの少なくとも一部を第一分離ユニットに導入して第一飽和炭化水素類気体ストリームと第一オレフィン気体ストリームとを生成する、ここで、第一飽和炭化水素類気体ストリームは処理済み炭化水素気体ストリームの飽和炭化水素類の少なくとも一部を含み、かつ、第一飽和炭化水素類気体ストリームは、当該第一飽和炭化水素類気体ストリームの総重量に基づいて約１重量％未満のオレフィン含有量を特徴とする、そして、（ｉｉｉ）第一飽和炭化水素類気体ストリームの少なくとも一部を気体スチームクラッカに供給する工程、を含む。
【０１１８】
第４態様は、第１〜第３態様のいずれかの方法であって、ここで、炭化水素液体ストリームの第一留分の少なくとも一部を液体スチームクラッカに供給する工程（ｄ）は、さらに、（ｉ）炭化水素液体ストリームの第一留分の少なくとも一部と水素とを水素処理ユニットに搬送して処理済み炭化水素液体ストリームと処理済み水素処理ユニット気体生成物ストリームとを生成させる、ここで、処理済み炭化水素液体ストリームは、炭化水素液体ストリームの第一留分の沸点よりも低い沸点を特徴とし、ここで、処理済み炭化水素液体ストリームは、炭化水素液体ストリームの第一留分の塩化物量よりも低い塩化物量を特徴とし、かつ、処理済み炭化水素液体ストリームは、炭化水素液体ストリームの第一留分のオレフィン含有量よりも低いオレフィン含有量を特徴とする、そして、（ｉｉ）処理済み炭化水素液体ストリームの少なくとも一部を液体スチームクラッカに供給する工程、を含む。
【０１１９】
第５の態様は、第１〜４態様のいずれか方法であって、ここで、処理済み炭化水素液体ストリームは、約３００℃未満の沸点を特徴とる。
【０１２０】
第６の態様は、第１〜５態様のいずれかの方法であって、ここで、処理済み炭化水素液体ストリームは、当該処理済み炭化水素液体ストリームの総重量に基づいて約１０ｐｐｍｗ未満の単数または複数の塩化物成分を含む。
【０１２１】
第７の態様は、第１〜６態様のいずれかの方法であって、ここで、処理済み炭化水素液体ストリームは、当該処理済み炭化水素液体ストリームの総重量に基づいて約１重量％未満のオレフィン含有量を特徴とする。
【０１２２】
第８態様は、第１〜７態様のいずれかの方法であって、ここで、炭化水素液体ストリームの第一留分は芳香族化合物類を含み、かつ、芳香族化合物類の一部が水素処理ユニット内で開環反応を受けて、非芳香族化合物類を作り出す。
【０１２３】
第９態様は、第１〜８態様のいずれかの方法であって、ここで、炭化水素液体ストリームの第一留分の少なくとも一部と水素とを水素処理ユニットに搬送して処理済み炭化水素液体ストリームと水素処理ユニット気体生成物ストリームとを作り出す工程（ｉ）は、さらに、（１）水素処理ユニットから水素処理ユニット生成物ストリームを回収する工程であって、水素処理ユニット生成物ストリームは気相と液相とを含む工程、および、（２）水素処理ユニット生成物ストリームを処理済み炭化水素液体ストリームと水素処理ユニット気体生成物ストリームとに分離する工程であって、処理済み炭化水素液体ストリームは、水素処理ユニット生成物ストリームの液相の少なくとも一部を含み、水素処理ユニット気体生成物ストリームは、水素処理ユニット生成物ストリームの気相の少なくとも一部を含む工程、をさらに有する。
【０１２４】
第１０態様は、第１〜９態様のいずれかの方法であって、ここで、水素処理ユニット気体生成物ストリームの少なくとも一部は気体スチームクラッカに供給される。
【０１２５】
第１１態様は、第３態様の方法であって、気体スチームクラッカ生成物ストリームの少なくとも一部、液体スチームクラッカ生成物ストリームの少なくとも一部、第一オレフィン気体ストリームの少なくとも一部、またはこれらの組み合わせは、第二分離ユニットに導入されて、第二オレフィン気体ストリーム、第二飽和炭化水素類気体ストリーム、Ｃ６−Ｃ８芳香族類ストリーム、Ｃ９＋芳香族類ストリーム、および非芳香族重質ストリーム、を生成し、ここで、第二オレフィン気体ストリームは、エチレン、プロピレン、ブチレン、ブタジエン、またはそれらの組み合わせを含み、第二飽和炭化水素類気体ストリームは、メタン、エタン、プロパン、ブタン類、水素、またはそれらの組み合わせを含み、Ｃ６−Ｃ８芳香族類ストリームは、Ｃ６−Ｃ８芳香族炭化水素類、ベンゼン、トルエン、キシレン類、エチルベンゼン、またはそれらの組み合わせを含み、Ｃ９＋芳香族類ストリームは、Ｃ９＋芳香族炭化水素類を含み、かつ、非芳香族重質ストリームは、Ｃ６＋芳香族炭化水素類以外のＣ５＋炭化水素を含む。
【０１２６】
第１２態様は、第１１態様の方法であって、第二オレフィン気体ストリームの収率は約６０％以上である。
【０１２７】
第１３態様は、第１〜１２態様のいずれかの方法であって、ここで、Ｃ６−Ｃ８芳香族類ストリームの収率は約１５％以上である。
【０１２８】
第１４態様は、第１〜１３態様のいずれかの方法であって、ここで、第二飽和炭化水素類気体ストリームの少なくとも一部は、気体スチームクラッカに再循環される。
【０１２９】
第１５態様は、第１〜１４態様のいずれかの方法であって、非芳香族重質ストリームは約３００℃未満の沸点を特徴とし、そして、非芳香族重質ストリームの少なくとも一部は、液体スチームクラッカ、および／または、当該液体スチームクラッカの上流の水素処理ユニット、に再循環される。
【０１３０】
第１６態様は、第１〜１５態様のいずれかの方法であって、非芳香族重質ストリームは、約３００℃未満の沸点を特徴とし、そして、９＋芳香族類ストリームの少なくとも一部は液体スチームクラッカの上流の水素処理装置に再循環される。
【０１３１】
第１７態様は、第１６態様の方法であって、さらに以下の工程を有する、（ｉ）水素処理ユニットから処理済み炭化水素液体ストリームを回収する、（ｉｉ）処理済み炭化水素液体ストリームの少なくとも一部を、当該処理済み炭化水素液体ストリームの第一留分と当該処理済み炭化水素液体ストリームの第二留分とに分離する、ここで、処理済み炭化水素液体ストリームの第一留分は約３００℃未満の沸点を特徴とし、かつ、処理済み炭化水素液体ストリームの第二留分は約３００℃以上の沸点を特徴とする、（ｉｉｉ）処理済み炭化水素液体ストリームの第一留分の少なくとも一部を液体スチームクラッカに供給して液体スチームクラッカ生成物ストリームを作る、そして、（ｉｖ）処理済み炭化水素液体ストリームの第二留分の少なくとも一部を熱分解ユニットに再循環する。
【０１３２】
第１８態様は、第１〜１７態様のいずれかの方法であって、混合プラスチックは、当該混合プラスチックの総重量に基づいて約４００ｐｐｍｗ以上のポリ塩化ビニル、および／または、ポリ塩化ビニリデン、を含む。
【０１３３】
第１９態様は、第１〜１８態様のいずれかの方法であって、混合プラスチックは、未使用混合プラスチックまたは廃混合プラスチックである。
【０１３４】
第２０態様は、混合プラスチックからオレフィン類および芳香族炭化水素類を製造する方法であって、以下の工程を含む、（ａ）熱分解ユニット内で混合プラスチックを炭化水素生成物に変換する、ここで、炭化水素生成物は気相および液相を含む、（ｂ）炭化水素生成物を炭化水素気体ストリームと炭化水素液体ストリームとに分離する、ここで、炭化水素気体ストリームは炭化水素生成物の気相の少なくとも一部を含み、炭化水素液体ストリームは炭化水素生成物の液相の少なくとも一部を含む、（ｃ）炭化水素気体ストリームの少なくとも一部を、気体スチームクラッカ生成物ストリームを生成するために気体スチームクラッカに供給する、ここで、気体スチームクラッカ生成物ストリームはオレフィン類を含み、かつ、気体スチームクラッカ生成物ストリーム中のオレフィン類の量は、炭化水素気体ストリーム中のオレフィン類の量より多い、（ｄ）炭化水素液体ストリームの少なくとも一部を当該炭化水素液体ストリームの第一留分と当該炭化水素液体ストリームの第二留分とに分離する、ここで、炭化水素液体ストリームの第一留分は約３００℃未満の沸点を特徴とし、かつ、炭化水素液体ストリームの第二留分は約３００℃以上の沸点を特徴とする、（ｅ）炭化水素液体ストリームの第一留分の少なくとも一部と水素とを水素処理ユニットに搬送して処理済み炭化水素液体ストリームと水素処理ユニット気体生成物ストリームとを生成させる、ここで、処理済み炭化水素液体ストリームは約３００℃未満の沸点を特徴とし、処理済み炭化水素液体ストリームは当該処理済み炭化水素液体ストリームの総重量に基づいて約１０ｐｐｍｗ未満の塩素物量を特徴とし、かつ、処理済み炭化水素液体ストリームは当該処理済み炭化水素液体ストリームの総重量に基づいて約１重量％未満のオレフィン類のオレフィン含有量を特徴とする、（ｆ）処理済み炭化水素液体ストリームの少なくとも一部を液体スチームクラッカ生成物ストリームを作るべく液体スチームクラッカに供給する、ここで、液体スチームクラッカ生成物ストリームはオレフィン類と芳香族炭化水素類とを含み、かつ、液体スチームクラッカ生成物ストリーム中のオレフィン類の量は炭化水素液体ストリーム中のオレフィン類の量より多い、そして（ｇ）炭化水素液体ストリームの第二留分の少なくとも一部を熱分解ユニットに再循環する。
【０１３５】
第２１態様は、第２０態様の方法であって、ここで、水素処理ユニット気体生成物ストリームの少なくとも一部は、気体スチームクラッカに供給される。
【０１３６】
第２２態様は、混合プラスチックからオレフィン類および芳香族炭化水素類を製造する方法であって、以下の工程を含む、（ａ）熱分解ユニット内で混合プラスチックを炭化水素生成物に変換する、ここで、炭化水素生成物は気相および液相を含む、（ｂ）炭化水素生成物を炭化水素気体ストリームと炭化水素液体ストリームとに分離する、ここで、炭化水素気体ストリームは炭化水素生成物の気相の少なくとも一部を含み、炭化水素気体ストリームはオレフィン類と飽和炭化水素類とを含み、かつ、炭化水素液体ストリームは炭化水素生成物の液相の少なくとも一部を含む、（ｃ）炭化水素気体ストリームの少なくとも一部を第一分離ユニットに導入し、第一飽和炭化水素類気体ストリームと第一オレフィン気体ストリームとを作る、ここで、第一オレフィン気体ストリームは炭化水素気体ストリームのオレフィン類の少なくとも一部を含み、第一飽和炭化水素類気体ストリームは炭化水素気体ストリームの飽和炭化水素類の少なくも一部を含み、かつ、第一飽和炭化水素類気体ストリームは当該第一飽和炭化水素類気体ストリームの総重量に基づいて約１重量％未満のオレフィン含有量を特徴とする、（ｄ）第一飽和炭化水素類気体ストリームの少なくとも一部を気体スチームクラッカに供給して気体スチームクラッカ生成物ストリームを作る、ここで、当該気体スチームクラッカ生成物ストリーム中のオレフィン類の量は、第一飽和炭化水素類気体ストリーム中のオレフィン類の量よりも多い、（ｅ）炭化水素液体ストリームの一部と水素とを水素処理ユニットに供給して処理済み炭化水素液体ストリームと水素処理ユニット生成物ストリームとを作る、ここで、処理済み炭化水素液体ストリームは、当該処理済み炭化水素液体ストリームの総重量に基づいて約１０ｐｐｍｗ未満の塩素物量を特徴とし、かつ、処理済み炭化水素液体ストリームは当該処理済み炭化水素液体ストリームの総重量に基づいて約１重量％未満のオレフィン含有量を特徴とする、（ｆ）処理済み炭化水素液体ストリームの少なくとも一部を、当該処理済み炭化水素液体ストリームの第一留分と当該処理済み炭化水素液体ストリームの第二留分とに分離する、ここで、処理済み炭化水素液体ストリームの第一留分は約４３０℃未満の沸点を特徴とし、かつ、処理済み炭化水素液体ストリームの第二留分は約４３０℃以上の沸点を特徴とする、（ｇ）処理済み炭化水素液体ストリームの第一留分の少なくとも一部を液体スチームクラッカに供給して液体スチームクラッカ生成物ストリームを作る、ここで、液体スチームクラッカ生成物ストリーム中のオレフィン類の量は、処理済み炭化水素液体ストリームの第一留分中のオレフィン類の量よりも多い、（ｈ）水素処理ユニット生成物ストリームの少なくとも一部を第一分離ユニット、および／または、気体スチームクラッカ、に供給する、（ｉ）気体スチームクラッカ生成物ストリームの少なくとも一部、液体スチームクラッカ生成物ストリームの少なくとも一部、第一オレフィン気体ストリームの少なくとも一部、またはこれらの組み合わせを、第二分離ユニットに導入して、第二オレフィン気体ストリーム、第二飽和炭化水素類気体ストリーム、Ｃ６−Ｃ８芳香族類ストリーム、Ｃ９＋芳香族類ストリーム、および非芳香族重質ストリームを作る、ここで、第二オレフィン気体ストリームは、エチレン、プロピレン、ブチレン、ブタジエン、またはそれらの組み合わせを含み、第二飽和炭化水素類気体ストリームは、メタン、エタン、プロパン、ブタン類、水素、またはそれらの組み合わせを含み、Ｃ６−Ｃ８芳香族類ストリームは、Ｃ６−Ｃ８芳香族炭化水素類、ベンゼン、トルエン、キシレン類、エチルベンゼン、またはそれらの組み合わせを含み、Ｃ９＋芳香族類ストリームはＣ９＋芳香族炭化水素類を含み、かつ、非芳香族重質ストリームは、Ｃ６＋芳香族炭化水素類以外のＣ５＋炭化水素を含む、（ｊ）第二飽和炭化水素類気体ストリームの少なくとも一部を気体スチームクラッカに再循環させる、（ｋ）非芳香族重質ストリームの少なくとも一部およびＣ９＋芳香族化合物類ストリームの少なくとも一部を、水素処理ユニットに再循環する、そして、（ｌ）処理済み炭化水素液体ストリームの第二留分の少なくとも一部を熱分解ユニットに再循環する。
【０１３７】
第２３態様は、第２２態様の方法であって、第二オレフィン気体ストリームの収率は約６０％以上であり、そして、Ｃ６−Ｃ８芳香族類ストリーム収率は約１５％以上である。
【０１３８】
第２４態様は、混合プラスチックからオレフィン類および芳香族炭化水素類を製造する方法であって、以下の工程を含む、（ａ）熱分解ユニット内で混合プラスチックを炭化水素生成物に変換する、ここで、炭化水素生成物は気相と液相を含む、（ｂ）熱分解分離装置内で炭化水素生成物を炭化水素気体ストリームと炭化水素液体ストリームとに分離する、ここで、炭化水素気体ストリームは炭化水素生成物の気相の少なくとも一部を含み、炭化水素気体ストリームは、オレフィン類、飽和炭化水素類および塩酸（ＨＣｌ）を含み、かつ、炭化水素液体ストリームは炭化水素生成物の液相の少なくとも一部を含む、（ｃ）炭化水素気体ストリームの少なくとも一部をスクラバに導入して処理済み炭化水素気体ストリームを作る、ここで、処理済み炭化水素気体ストリーム中のＨＣｌの量は炭化水素気体ストリーム中のＨＣｌの量よりも少なく、炭化水素気体ストリーム中のＨＣｌの少なくとも一部はスクラバ中で除去される、（ｄ）処理済み炭化水素気体ストリームの少なくとも一部を第一分離ユニットに導入して第一飽和炭化水素類気体ストリームおよび第一オレフィン気体ストリームを生成する、ここで、第一オレフィン気体ストリームは処理済み炭化水素気体ストリームのオレフィン類の少なくとも一部を含み、かつ、第一飽和炭化水素類気体ストリームは処理済み炭化水素気体ストリームの飽和炭化水素類の少なくとも一部を含み、かつ、第一飽和炭化水素類気体ストリームは当該第一飽和炭化水素類気体ストリームの総重量に基づいて約１重量％未満のオレフィン含有量を特徴とする、（ｅ）第一飽和炭化水素類気体ストリームの少なくとも一部を、気体スチームクラッカに供給して気体スチームクラッカ生成物ストリームを作る、ここで、気体スチームクラッカ生成物ストリーム中のオレフィン類の量は、第一飽和炭化水素類気体ストリーム中のオレフィン類の量より多い、（ｆ）炭化水素液体ストリームの少なくとも一部を当該炭化水素液体ストリームの第一留分と当該炭化水素液体ストリームの第二留分とに分離する、ここで、炭化水素液体ストリームの第一留分は炭化水素液体ストリームの第二留分よりも低い沸点を特徴とし、かつ、炭化水素液体ストリームの第一留分の沸点は約３００℃〜約４３０℃未満である、（ｇ）炭化水素液体ストリームの第一留分の少なくとも一部と水素とを水素処理ユニットに搬送して処理済み炭化水素液体ストリームと水素処理ユニット気体生成物ストリームとを生成する、ここで、処理済み炭化水素液体ストリームは当該処理済み炭化水素液体ストリームの総重量に基づいて約１０ｐｐｍｗ未満の塩化物量を特徴とし、かつ、処理済み炭化水素液体ストリームは、当該処理済み炭化水素液体ストリームの総重量に基づいて約１重量％未満のオレフィン類のオレフィン含有量を特徴とする、（ｈ）処理済み炭化水素液体ストリームの少なくとも一部を、当該処理済み炭化水素液体ストリームの第一留分と当該処理済み炭化水素液体ストリームの第二留分とに分離する、ここで、処理済み炭化水素液体ストリームの第一留分は当該処理済み炭化水素液体ストリームの第二留分の沸点より低い沸点を特徴とし、かつ、処理済み炭化水素液体ストリームの第一留分は約３５０℃未満である、（ｉ）処理済み炭化水素液体ストリームの第一留分の少なくとも一部を液体スチームクラッカに供給して液体スチームクラッカ生成物ストリームを作る、ここで、液体スチームクラッカ生成物ストリーム中のオレフィン類の量は、処理済み炭化水素液体ストリームの第一留分中のオレフィン類の量よりも多い、（ｊ）水素処理ユニット気体生成物ストリームの少なくとも一部を、スクラバ、第一分離ユニット、気体スチームクラッカ、またはこれらの組み合わせに供給する、（ｋ）気体スチームクラッカ生成物ストリームの少なくとも一部、液体スチームクラッカ生成物ストリームの少なくとも一部、第一オレフィン気体ストリームの少なくとも一部、またはそれらの組み合わせを、第二分離ユニットに導入して、第二オレフィン気体ストリーム、第二飽和炭化水素類気体ストリーム、Ｃ６−Ｃ８芳香族類ストリーム、Ｃ９＋芳香族類ストリーム、および、非芳香族重質ストリーム、を作り出す、ここで、第二オレフィン気体ストリームは、エチレン、プロピレン、ブチレン、ブタジエン、またはそれらの組み合わせを含み、第二飽和炭化水素類気体ストリームは、メタン、エタン、プロパン、ブタン類、水素、またはそれらの組み合わせを含み、Ｃ６−Ｃ８芳香族類ストリームは、Ｃ６−Ｃ８芳香族炭化水素類、ベンゼン、トルエン、キシレン類、エチルベンゼン、またはそれらの組み合わせを含み、Ｃ９＋芳香族類ストリームはＣ９＋芳香族炭化水素類を含み、かつ、非芳香族重質ストリームは、Ｃ６＋芳香族炭化水素類以外のＣ５＋炭化水素を含む、（ｌ）第二飽和炭化水素類気体ストリームの少なくとも一部を気体スチームクラッカ再循環させる、（ｍ）非芳香族重質ストリームの少なくとも一部、および／または、Ｃ９＋芳香族類ストリームの少なくとも一部を、水素処理ユニットに再循環する、（ｎ）炭化水素液体ストリームの第二留分の少なくとも一部、および／または、処理済み炭化水素液体ストリームの第二留分の少なくとも一部を、熱分解ユニットに再循環する、そして、（ｏ）、オプションとして、非芳香族重質ストリームの少なくとも一部を液体スチームクラッカに再循環する。
【０１３９】
本開示の態様を示し説明してきたが、本発明の要旨および教示から逸脱することなくそれらの改変を行うことが可能である。ここに記載の態様および例は例示的なものにすぎず、限定的であることを意図するものではない。ここに開示された本発明の多くの変形および修正が可能であり、それらは本発明の範囲に含まれる。
【０１４０】
したがって、保護の範囲は上記の説明によって限定されるのではなく、添付の特許請求の範囲によってのみ限定され、その範囲は特許請求の範囲の主題のすべての均等物を含む。各請求項はすべて本発明の態様として明細書に組み込まれている。したがって、特許請求の範囲はさらなる説明であり、本発明の詳細な説明への追加である。本明細書に引用された全ての特許、特許出願、および刊行物の開示は、参照により本明細書に組み込まれる。
【図１】
2019534926.tif 000008
【図２】
2019534926.tif 000009
【図３】
2019534926.tif 000010
【図４】
2019534926.tif 000011
【国際調査報告】
2019534926.tif 000012
2019534926.tif 000013